(57)【要約】  通信システムは、複数の通信リンク、好ましくは、異なる通信媒体を使用するリンクを使用する。複数の通信リンクは、大量のデータを搬送するように構成された光ファイバケーブルを使用するが、高レイテンシを有する、高レイテンシ／高帯域幅のリンクを含んでもよい。また、通信リンクは、電波の空間波伝搬を使用して実装され、地球の表面のかなりの部分にわたって、比較的低いレイテンシで比較的小量のデータを搬送するように構成された低レイテンシ／低帯域幅のリンクを含んでもよい。２つの通信リンクは、金融商品の売買などの様々な活動を調整するために一緒に使用されてもよい。
2018511252.tif 000002
【特許請求の範囲】
【請求項１】
第１の通信リンクを介して送信局からコマンドデータを送信するステップであって、前記コマンドデータが、１つまたは複数のコマンドを定義する、ステップと、
第２の通信リンクを介して前記送信局からトリガデータを送信するステップであって、前記トリガデータが、前記１つまたは複数のコマンドのうちの少なくとも１つを識別する識別子を含む、ステップと
を含む方法であって、
前記第２の通信リンクが、空間波伝搬(skywave propagation)を介して送信された電磁波を使用して前記トリガデータを送信し、
前記第１の通信リンクが、前記第２の通信リンクより大きいレイテンシ(latency)を有する
方法。
【請求項２】
前記第１の通信リンクが、前記第２の通信リンクより広い帯域幅を有する、請求項１に記載の方法。
【請求項３】
第１の通信リンクを介して送信局からコマンドデータを送信するステップであって、前記コマンドデータが、１つまたは複数のコマンドを定義する、ステップと、
第２の通信リンクを介して前記送信局からトリガデータを送信するステップであって、前記トリガデータが、前記１つまたは複数のコマンドのうちの少なくとも１つを識別する識別子を含む、ステップと
を含む方法であって、
前記第１および第２の通信リンクが、空間波伝搬を介して送信された電磁波を使用して前記トリガデータを送信する
方法。
【請求項４】
前記第２の通信リンクで空間波伝搬のために最大使用周波数を特定するステップと、
前記最大使用周波数以下の周波数において前記第２の通信リンクで前記トリガデータを送信するステップと
をさらに含む、請求項１から３のいずれかに記載の方法。
【請求項５】
前記第２の通信リンクで空間波伝搬のために最小使用周波数を特定するステップと、
前記最小使用周波数以上の周波数において前記第２の通信リンクで前記トリガデータを送信するステップと
をさらに含む、請求項１から４のいずれかに記載の方法。
【請求項６】
前記トリガデータを送信する前記ステップが、臨界角(critical angle)未満で前記電磁波を送信するステップを含む、請求項１から５のいずれかに記載の方法。
【請求項７】
前記送信局から離れた受信局において前記コマンドデータを受信するステップと、
前記受信局において前記トリガデータを受信するステップと
をさらに含む、請求項１から６のいずれかに記載の方法。
【請求項８】
前記第１の通信リンクおよび前記第２の通信リンクの両方で前記コマンドデータを送信するステップ
をさらに含む、請求項１から７のいずれかに記載の方法。
【請求項９】
前記コマンドデータを受信する前記ステップが、前記第２の通信リンクを介して前記コマンドデータを受信する前に、前記第１の通信リンクを介して前記コマンドデータを受信するステップを含む、請求項８に記載の方法。
【請求項１０】
前記コマンドデータを受信する前記ステップが、前記第１の通信リンクを介して前記コマンドデータを受信する前に、前記第２の通信リンクを介して前記コマンドデータを受信するステップを含む、請求項８に記載の方法。
【請求項１１】
前記第１の通信リンクおよび前記第２の通信リンクの両方で前記トリガデータを送信するステップ
をさらに含む、請求項１から１０のいずれかに記載の方法。
【請求項１２】
前記トリガデータを受信する前記ステップが、前記第２の通信リンクを介して前記トリガデータを受信する前に、前記第１の通信リンクを介して前記トリガデータを受信するステップを含む、請求項１１に記載の方法。
【請求項１３】
前記トリガデータを受信前記するステップが、前記第１の通信リンクを介して前記トリガデータを受信する前に、前記第２の通信リンクを介して前記トリガデータを受信するステップを含む、請求項１１に記載の方法。
【請求項１４】
前記トリガデータを受信する前記ステップに応答して前記トリガデータ内の識別された前記１つまたは複数のコマンドのうちの少なくとも１つを実行するステップであって、前記少なくとも１つのコマンドが、前記受信局においてプロセッサを使用して実行される、ステップ
をさらに含む、請求項７から１３のいずれか一項に記載の方法。
【請求項１５】
実行する前記ステップが、前記コマンドデータおよび前記トリガデータの両方が、前記受信局において完全に受信されたとき、またはその後に発生する、請求項１４に記載の方法。
【請求項１６】
第１の通信リンクを介して受信局においてコマンドデータを受信するステップであって、前記コマンドデータが、１つまたは複数のコマンドを定義する、ステップと、
第２の通信リンクを介して受信局においてトリガデータを受信するステップであって、前記トリガデータが、前記１つまたは複数のコマンドのうちの少なくとも１つを識別する識別子を含む、ステップと
を含む方法であって、
前記トリガデータが、空間波伝搬を介して受信された電磁波を使用して前記第２の通信リンクで前記受信局に渡り、
前記コマンドデータが、空間波伝搬を使用せずに前記第１の通信リンクで前記受信局に渡る
方法。
【請求項１７】
前記第１の通信リンクが、前記第２の通信リンクより広い帯域幅を有する、請求項１６に記載の方法。
【請求項１８】
前記トリガデータを受信する前記ステップに応答して前記トリガデータ内の識別された前記１つまたは複数のコマンドのうちの少なくとも１つを実行するステップであって、前記少なくとも１つのコマンドが、前記受信局においてプロセッサを使用して実行される、ステップ
をさらに含む、請求項１６または１７のいずれか一項に記載の方法。
【請求項１９】
前記コマンドデータが、第１のサイズを有するデータのコレクションによって定義され、前記トリガデータが、第２のサイズを有するデータのコレクションによって定義され、ならびに、前記第１のサイズが、前記第２のサイズ以上である、請求項１から１８のいずれかに記載の方法。
【請求項２０】
前記１つまたは複数のコマンドが、１つまたは複数の金融商品を買うため、および／または、売るための指示を含む、請求項１から１９のいずれかに記載の方法。
【請求項２１】
前記第１の通信リンクが、光ファイバを含む、請求項１から２０のいずれかに記載の方法。
【請求項２２】
前記光ファイバが、１つまたは複数の中継器を含む、請求項２１に記載の方法。
【請求項２３】
１つまたは複数の中継器を介して前記電磁波を再送信するステップ
をさらに含む、請求項１から２２のいずれかに記載の方法。
【請求項２４】
前記第１の通信リンクが、少なくとも１秒あたり５６，０００ビットを送信するように構成された高データ帯域幅を有する、請求項１から２３のいずれかに記載の方法。
【請求項２５】
前記第２の通信リンクが、１秒あたり５６，０００ビット未満を送信するように構成された低データ帯域幅を有する、請求項１から２４のいずれかに記載の方法。
【請求項２６】
前記第１の通信リンクが、少なくとも６０ｍｓの高レイテンシを有する、請求項１から２５のいずれかに記載の方法。
【請求項２７】
前記第２の通信リンクが、６０ｍｓ未満の低レイテンシを有する、請求項１から２６のいずれかに記載の方法。
【請求項２８】
前記第２の通信リンクが、複数の周波数を使用して前記トリガデータを送信する、請求項１から２７のいずれかに記載の方法。
【請求項２９】
前記第２の通信リンクが、第１の期間第１の周波数で、および、前記第１の期間第２の周波数で送信し、
前記第１の周波数および前記第２の周波数が、異なる周波数である
請求項２８に記載の方法。
【請求項３０】
前記空間波伝搬が、電離圏(ionosphere)から前記電磁波を屈折させるステップを含む、請求項１から２９のいずれかに記載の方法。
【請求項３１】
屈折させる前記ステップが、前記電離圏のＤ層から前記電磁波を屈折させるステップを含む、請求項３０に記載の方法。
【請求項３２】
屈折させる前記ステップが、前記電離圏のＥ層から前記電磁波を屈折させるステップを含む、請求項３０に記載の方法。
【請求項３３】
屈折させる前記ステップが、前記電離圏のＦ層から前記電磁波を屈折させるステップを含む、請求項３０に記載の方法。
【請求項３４】
屈折させる前記ステップが、前記電離圏のＦ１層から前記電磁波を屈折させるステップを含む、請求項３０に記載の方法。
【請求項３５】
屈折させる前記ステップが、前記電離圏のＦ２層から前記電磁波を屈折させるステップを含む、請求項３０に記載の方法。
【請求項３６】
前記空間波伝搬が、地表から前記電磁波を反射するステップをさらに含む、請求項１から３５のいずれかに記載の方法。
【請求項３７】
前記空間波伝搬が、対流圏散乱(tropospheric scatter)を利用するステップを含む、請求項１から３６のいずれかに記載の方法。
【請求項３８】
前記電磁波が、電波を含む、請求項１から３７のいずれかに記載の方法。
【請求項３９】
前記送信局と前記受信局との間に、少なくとも１つの跳躍帯(skip zone)が存在する、請求項１から３８のいずれかに記載の方法。
【請求項４０】
前記送信局と前記受信局との間の前記距離が、電波地平線(radio horizon)より大きい、請求項１から３９のいずれかに記載の方法。
【請求項４１】
前記電波地平線が、以下の方程式を使用して見積もられる(approximated)、請求項４０に記載の方法。
【数１】
2018511252.tif 000006
ただし、
ｄ＝電波地平線（ｋｍ（マイル））
ｈｔ＝送信アンテナ高（ｍ（フィート））
ｈｒ＝受信アンテナ高（ｍ（フィート））
【請求項４２】
前記第１の通信リンクおよび前記第２の通信リンクが、同じ通信リンクである、請求項１から４１のいずれかに記載の方法。
【請求項４３】
前記第１の通信リンクおよび前記第２の通信リンクが、別個の通信リンクである、請求項１から４２のいずれかに記載の方法。
【請求項４４】
請求項１から４３のいずれかに記載の方法を実施するシステム。
【請求項４５】
メモリに結合されたプロセッサと、
前記プロセッサに応答し、通信ネットワークに結合された第１のネットワークインターフェースであって、前記ネットワークインターフェースが、前記通信ネットワークを使用して１つまたは複数のコマンドを定義するコマンドデータを送るように構成された、第１のネットワークインターフェースと、
前記プロセッサに応答し、無線周波数通信インターフェースに結合された第２のネットワークインターフェースと、
前記無線周波数通信インターフェースに結合されたアンテナシステムと
を含むシステムであって、
前記無線周波数通信インターフェースが、前記アンテナシステムからブロードキャストされた電磁波を使用してトリガデータを送るように構成され、
前記アンテナシステムおよび無線周波数インターフェースが、空間波伝搬を介して前記電磁波を送信するように構成され、
前記トリガデータが、前記１つまたは複数のコマンドのうちの少なくとも１つを識別する識別子を含む
システム。
【請求項４６】
メモリに結合されたプロセッサと、
前記プロセッサに応答し、通信ネットワークに結合された第１のネットワークインターフェースであって、前記ネットワークインターフェースが、前記通信ネットワークを使用して１つまたは複数のコマンドを定義するコマンドデータを受信するように構成された、第１のネットワークインターフェースと、
前記プロセッサに応答し、無線周波数通信インターフェースに結合された第２のネットワークインターフェースと、
前記無線周波数通信インターフェースに結合されたアンテナシステムと
を含むシステムであって、
前記無線周波数通信インターフェースが、前記アンテナシステムからブロードキャストされた電磁波を使用してトリガデータを受信するように構成され、
前記アンテナシステムおよび無線周波数インターフェースが、空間波伝搬を介して前記電磁波を受信するように構成され、
前記トリガデータが、前記１つまたは複数のコマンドのうちの少なくとも１つを識別する識別子を含む
システム。
【請求項４７】
前記通信ネットワークが、前記空間波伝搬より高い帯域幅および高いレイテンシを有する、請求項４４から４６のいずれかに記載のシステム。
【請求項４８】
前記通信ネットワークが、１つまたは複数の光ファイバケーブルを含む、請求項４４から４７のいずれかに記載のシステム。
【発明の詳細な説明】
【技術分野】
【０００１】
本願発明の一実施例は、例えば、低レイテンシ／低データ帯域幅および高レイテンシ／高データ帯域幅の経路を使用する通信方法およびシステムに関する。
【背景技術】
【０００２】
最近の技術改良が、非常に長い距離をわたって通信する能力を劇的に改善してきた。今では、大規模な光ファイバおよび衛星ネットワークによって、世界の遠く離れた地域は、互いに通信することができる。しかし、大西洋または太平洋を越えるなど、このような遠距離に及ぶことにより、光ファイバケーブルは、往復約６０ミリ秒以上のレイテンシまたはタイムラグを招くことがある。衛星通信は、さらに大きな遅延時間を経験することがある。多くの場合、この高レイテンシは、通信媒体および機器に固有ものであるので、これを克服することはできない。例えば、光が、自由空間を通じて同じ距離を伝わる電波より３０％〜４０％遅く光ファイバを渡ることもある。光ファイバのネットワークは、通常、レイテンシをさらに増加させる複数の中継器を要する。一般に、多くの状況で問題となるわけではないが、この高レイテンシは、時間に影響されやすい活動、特に複雑なロジックを要する、および／または急速に変化する条件に依存する、時間に影響されやすい活動を実行する際に容認できない遅延をもたらすことがある。例えば、これらのレイテンシの問題点は、ほんの数例を挙げれば、分散型コンピュータシステムの動作および／または同期、地理的に広大なセンサアレイを用いた科学実験、ならびに、遠隔医療／診断活動におけるなど、膨大な活動に対して問題を引き起こす可能性がある。１つの特定の例では、世界市場においてセキュリティまたは他の金融商品を売買する注文は、通常、光ファイバ回線、同軸ケーブル、またはマイクロ波通信リンクを使用するシステムでデータおよび指示を搬送する通信リンクに頼っている。光ファイバ回線の全域にわたる高レイテンシによって引き起こされるなど、注文を実行する際のあらゆる遅延が、重大な財政上の損失となる可能性がある。
【発明の概要】
【発明が解決しようとする課題】
【０００３】
独特な通信システムおよび方法が、上述のレイテンシの問題点、ならびに他の問題点に対処するために開発されてきた。通信システムでは、コマンドデータは、トリガデータが受信される前に（または同時に）受信局で受信されるように送信される。コマンドデータは、１つまたは複数のアクションを取るために、コンピュータおよび／または機械デバイスなどの機械を制御するための１つまたは複数の指令、指示、アルゴリズム、および／またはルールを含む。例えば、１つの形式におけるコマンドデータは、一定の価格水準、範囲で、および／または他の条件に基づいて、特定のオプションまたは株式を買いおよび／または売るためのプログラムを含む。コマンドデータは、通常（全ての状況においてではないが）、トリガデータよりもサイズが大きく、その結果、コマンドデータは、同じデータ帯域幅を有する通信リンクで送信するのにトリガデータよりも長い時間がかかる。トリガデータは、コマンドデータ内の、実行する１つまたは複数のコマンドを識別する情報を含む。例えば、トリガデータは、特定の価格（または複数の価格）で購入すべき特定の株式（または複数の株式）を識別するコマンドデータ内の１つまたは複数の特定のオプションを識別することができる。１つの例では、コマンドデータは、光ファイバケーブルなどでの高帯域幅かつ高レイテンシを有する通信リンクで送信され、トリガデータは、電離圏から電波を屈折および／または散乱させることによる空間波伝搬を通じるなどして、低帯域幅かつ低レイテンシを有する通信リンクで送信される。次に、比較的小さいサイズのトリガデータは、トリガデータが、光ファイバケーブルによってもたらされる高帯域幅かつ高レイテンシの通信リンクで送信された場合よりも、受信局で素早く受信することができる。この通信システムおよび方法は、遠く離れた場所における遠い距離を越える金融取引などの複雑な時間に影響されやすいアクションを実行するための時間を劇的に低減する。１つの形式では、この技法は、大西洋横断通信のためなど、電波地平線を通り越し、遠く離れてアクションを実施するために使用される。この技法は、１方向タイプの通信に対して、または双方向タイプの通信に対してさえも、適用されることが可能である。
【課題を解決するための手段】
【０００４】
１つの例におけるこの独特の通信システムおよび方法は、複数の通信リンクを使用する。１つの形式では、通信リンクは、異なる通信媒体を使用する。このようなシステムは、例えば、市場イベント、報道、所定の日付および時間、等であることもあるトリガイベントに先立って、高レイテンシ／高帯域幅のリンクで事前にプログラムされたコマンドまたはルールの大きなコレクションを送信するために使用されてもよい。このルールまたは事前にプログラムされたアクションのセットは、実行可能プログラムに対するソフトウェアアップデートとして、またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）に対するファームウェアアップグレードとして送られてもよい。トリガイベントが発生したとき、トリガデータは、低レイテンシ／低帯域幅のリンク単独で、または両方のリンクで送られることが可能であり、事前にプログラムされたコマンドが計画通りに実行されるようにする。
【０００５】
システムの１つの例では、低レイテンシ／低帯域幅の通信リンクは、光ファイバケーブルで動作するパケット交換型ネットワークである場合もある比較的高いレイテンシ／高帯域幅の通信リンクと協働してデータを送信するために電波を使用する。このような組合せは、様々な組合せを含んでもよく、高レイテンシのリンクと低レイテンシのリンクとの間の格差を大きく変化させる。低レイテンシのリンクは、北アメリカとヨーロッパとの間の伝搬経路で送信するために、短波（ＨＦ：ｈｉｇｈ  ｆｒｅｑｕｅｎｃｙ）の電波を使用してもよい。電波は、例えば、１方向のレイテンシが２０〜２５ｍｓ以下（往復４０〜５０ｍｓ）で送信してもよい。比較的高レイテンシのリンクは、異なる伝搬経路上で、または、場合によっては、例えば、レイテンシが１方向で約３０ｍｓ以上、もしくは双方向で６０ｍｓ以上を有することもある同じ２つの大陸間の異なる媒体を通じてデータを搬送してもよい。
【０００６】
また、システムは、太陽および大気の条件に依存する遠く離れた場所の間で、利用可能な最高の信号強度を維持するために、異なるＨＦ帯を絶えず監視し、使用してもよい。この監視は、第三者のデータにアクセスすること、実験によって取得された結果を分析すること、および／またはソフトウェアモデリングを使用することを含んでもよい。これらの条件は、長距離にわたってＨＦ送信を中継するために空間波伝搬を使用することがある低レイテンシのリンクにおいて特に重要になることがある。この空間波伝搬は、地上の、または場合によっては、空中の中継器局によって増強されてもよい。
【０００７】
別の態様では、システムの全体的なセキュリティは、悪質な第三者を混乱させ、今後の送信を傍受し、解読しようとする試みを抑止するために、別々の通信リンクでアクションおよび／またはトリガメッセージの連続的なストリームを送ることによって強化されてもよい。これらのメッセージは、非常に短くてよく、または、連続して、もしくは所定のスケジュール上のほんの短い期間に行われる可能性のある様々な他の送信と混ぜ合わされてもよい。関連した態様では、セキュリティは、１つまたは複数の周波数の空間波伝搬でショートメッセージを送ることによって、または、同時にいくつかの周波数でごく一部のメッセージを送ることによって強化されてもよい。また、暗号化、双方向のハッシュ化等などの様々な追加の技法が、セキュリティを強化するために用いられてもよいが、両方のリンクに追加のレイテンシを招くことがある。
【０００８】
この通信システムおよび方法の独特の特性を理解するのに役立つように、通信システムおよび方法は、株式、債券、先物、または他の金融商品の取引を実行することに関連して説明されるが、このシステムおよび方法が、分散型コンピューティング、科学分析、遠隔医療、軍事作戦、他に対するものなど、レイテンシが重要である多数の他の分野で使用されることが可能であるということが認識されよう。
【０００９】
本発明のさらなる形式、オブジェクト、特性、態様、利益、利点、および実施形態は、詳細な説明およびこれに添付して提供された図面から、明らかとなるであろう。
【図面の簡単な説明】
【００１０】
【図１】通信リンクのうちの１つが空間波伝搬を使用する、別々の通信リンクでデータを送信するためのシステムの概略図である。
【図２】図１の空間波伝搬をさらに示す概略図である。
【図３】図１の空間波伝搬において、地上をベースとした中継器の使用を示す概略図である。
【図４】図１の空間波伝搬において、飛行中の中継器の使用を示す研究中の概略図である。
【図５】図１に示された電離層を含む大気におけるさらなる層を示す概略図である。
【図６】図５に示された大気の様々な電離層を示す概略図である。
【図７】図１〜図６に全体的に示された空間波伝搬のさらなる詳細を示す概略図である。
【図８】図１の通信ノードに関するさらなる詳細を示す概略図である。
【図９】図８におけるＲＦ通信インターフェースに関するさらなる詳細を示す概略図である。
【図１０】図１〜図９に示されたもののような複数の通信リンクを調整して使用することを示すタイミング図である。
【図１１】図１〜図９に示されたもののような複数の通信リンクを調整して使用することを示すタイミング図である。
【図１２】図１〜図９に示されたもののような複数の通信リンクを調整して使用することを示すタイミング図である。
【図１３】図１〜図９に示されたもののような複数の通信リンクを調整して使用することを示すタイミング図である。
【図１４】図１〜図１３のシステムによって行われるアクションを全体的に示す流れ図である。
【図１５】図１４に示されたアクションに関するさらなる詳細を示す流れ図である。
【図１６】図１４に示されたアクションに関するさらなる詳細を示す流れ図である。
【図１７】図１４に示されたアクションに関するさらなる詳細を示す流れ図である。
【図１８】図１４に示されたアクションに関するさらなる詳細を示す流れ図である。
【発明を実施するための形態】
【００１１】
本発明の諸原理の理解を促すために、ここで参照が図面に示された実施形態に対して行われ、特有の言語が、同じものを説明するために使用される。しかしながら、本発明の範囲は、それによって制限されるものではないことが理解されよう。説明された実施形態の中のいかなる代替形態、およびさらなる変更形態、ならびに本明細書で説明されたような本発明の諸原理の任意のさらなる適用例は、本発明が関係する当業者に対して通常発生するであろうものとして意図される。本発明に関係のないいくつかの特性は、明快にするために示されないことがあるということが当業者には明らかであろうが、本発明の１つの実施形態は、極めて詳細に示される。
【００１２】
図１は、１００において、低レイテンシ、低帯域幅の通信リンク１０４を介してデータを、および高レイテンシ、高帯域幅の通信リンク１０８を介して別個のデータを伝送するように構成されたシステムの１つの例を示す。通信リンク１０４および１０８は、第１の通信ノード１１２と第２の通信ノード１１６の間の別個の接続を提供する。低レイテンシの接続１０４は、空間波伝搬を介して自由空間を通過する電磁波１２４を使用してデータを送信するように構成されてもよい。電磁波１２４は、第１の通信ノード１１２内の送信機によって生成され、伝送回線１３６に沿ってアンテナ１２８まで通過してもよい。波１２４は、アンテナ１２８によって放射されてもよく、大気１２０の電離した部分に遭遇する。次に、この放射された電磁エネルギーは、大気１２０の電離した部分によって屈折されることがあり、波１２４の向きを地球の方へ変化させる。波１２４は、伝送回線１４０によって第２の通信ノード１１６に結合された受信アンテナ１３２によって受信されてもよい。図１に示されたように、送信通信ノードは、電磁エネルギーを搬送するための１つまたは複数の伝送回線を必要とせずに地球表面をわたって電磁エネルギーを長距離送信するために空間波伝搬を使用してもよい。
【００１３】
また、データは、高レイテンシの通信リンク１０８を使用して通信ノード１１２と１１６との間で送信されてもよい。図１に示されたように、高レイテンシの通信リンク１０８は、海洋または他の水域の下または中を通過すること含むこともある地球を通過する伝送回線１４４を使用して実装されてもよい。図１に示されたように、高レイテンシの通信リンクは、中継器１５２を含んでもよい。図１は、任意の適切な数の中継器１５２が使用されてもよいが、伝送回線１４４に沿う４つの中継器１５２を示す。また、伝送回線１４４は、中継器を全く有さなくてもよい。図１は、第１の通信ノード１１２から第２の通信ノード１１６へ情報を送信する通信リンク１０４を示すが、送信されたデータは、通信リンク１０４、１０８に沿って両方向に通過してもよい。
【００１４】
図１に示された構成は、さらに図２に示され、ここで、第１の通信ノード１１２および第２の通信ノード１１６は、地理的に互いから遠く離れており、地球（１５６）の表面のかなりの部分によって隔てられている。地球の表面のこの部分は、１つまたは複数の大陸、海洋、山脈、または他の地理的エリアを含んでもよい。例えば、図１〜図７における、跨った距離は、単一の大陸、複数の大陸、１つの海洋、等をカバーしてもよい。１つの例では、ノード１１２は、アメリカ合衆国のイリノイ州シカゴにあり、ノード１１６は、連合王国のイングランドのロンドンにある。別の例では、ノード１１２は、ニューヨーク州ニューヨーク市にあり、ノード１１６は、カリフォルニア州ロサンゼルスにあり、両市は、北アメリカにある。距離、通信ノード、および通信リンクの任意の適切な組合せによって、満足のいくレイテンシおよび帯域幅をもたらすことができるということが想像される。
【００１５】
図２は、空間波伝搬によって、電磁エネルギーが長距離を渡ることができるということを示す。空間波伝搬を使用すると、低レイテンシの通信リンク１０４は、地球に向けて電磁波１２４を屈折させるように十分に電離した大気１２０の一部に電磁波１２４を送信する。次に、この波は、地球の表面によって反射され、上層大気１２０の電離した部分に戻されることがあり、ここで、波は、再び地球に向けて屈折されることもある。このように、電磁エネルギーは、繰り返し「跳躍（ｓｋｉｐ）」することが可能であり、低レイテンシ、低帯域幅の信号１２４が、非空間波伝搬によってカバーされ得る距離よりもかなり遠い距離をカバーすることを可能にする。
【００１６】
図１に示されたシステムの別の例が、図３に出ており、ここで、図１および図２に対して論じられた空間波伝搬は、中継器３０２および３０６を使用して強化されてもよい。この例では、第１の中継器３０２は、アンテナ１２８から発する低レイテンシの通信信号を受信してもよい。信号は、電離した領域１２０によって屈折され、地球に戻されることがあり、ここで、信号は、中継器３０２によって受信され、空間波伝搬を介して再送信されてもよい。屈折された信号は、中継器３０６によって受信され、アンテナ１３２を介して第２の通信ノード１１６に空間波伝搬を使用して再送信されてもよい。２つの中継局が、図３に示されているが、地上の中継局３０２の任意の適切な数、構成、または位置決めが考えられる。中継器３０２、３０６の数を増加させると、大気ミッションの広範な配列の中を比較的遠い距離をわたって低レイテンシの信号を送信する機会をもたらすことがあるが、信号を受信し、再送信する中継器回路の物理的な制限が、低レイテンシの通信リンク１０４にさらなるレイテンシを追加することがある。
【００１７】
図４は、図１に示されたシステムの別の例を示し、ここで、第１の通信リンクに沿った１つまたは複数の中継器は、航空機、飛行船、気球、または大気中で空中に中継器を維持するように構成された他のデバイス４１０の中など、飛行中である。この例では、アンテナ１２８を介して第１の通信ノード１１２から送信された信号は、見通し内通信４０２として、または本明細書の他の場所で説明されたように、空間波伝搬によって飛行中の中継器４１４によって受信されてもよい。信号は、飛行中の中継器４１４によって受信され、見通し内通信４０６として、または低レイテンシのリンク１０４に沿って空間波伝搬によって第２の通信ノード１１６に再送信されてもよい
空間波伝搬に関するさらなる詳細が、図５〜図７に示される。開示されたシステムと上層大気の様々な層との関係が、図５に示される。無線伝送のために、上層大気の層は、対流圏５０４、成層圏５０８、および電離圏５１２などの連続的に高くなる層に、図示のように、分割されてもよい。
【００１８】
電離圏は、高濃度の電離した粒子を含むという理由からそのように命名されている。地球から最も遠い電離圏におけるこれらの粒子の密度は、非常に小さく、地球に比較的近い電離圏のエリアでは漸進的に高くなる。電離圏の上層の領域は、高エネルギーの紫外線放射を含む、太陽からの強力な電磁放射によって活発化される。この太陽放射は、空気を自由電子、陽イオン、および陰イオンに電離させる。上部電離圏における空気分子の密度が小さくても、宇宙からの放射粒子が非常に高エネルギーなので、存在する比較的少ない空気分子を大規模に電離させる。電離は、空気が濃くなるにつれて強度を弱めながら電離圏を通じて下方にまで及び、したがって、最高水準の電離は、電離圏の上端で発生する一方、最低水準の電離は、電離圏の比較的低い部分で生じる。
【００１９】
さらに、電離圏５１２の上端と下端との間のこのような電離における差が、図６に示される。電離圏は、図６に示され、３つの層は、最も低いレベルから最も高いレベルまで、個々に、Ｄ層６０８、Ｅ層６１２、およびＦ層６０４と呼ばれている。さらに、Ｆ層６０４は、６１６におけるＦ１（より高い層）、および、６２０におけるＦ２（より低い層）と呼ばれる２つの層に分割されることがある。電離圏における層６１６および６２０の存在の有無、および、それらの地球上の高さは、太陽の位置と共に変化する。正午に、電離圏を通過する太陽６２４からの放射は、最大であり、日没時に次第に弱まり、夜間に最低となる。放射がなくなると、多くのイオンが再結合し、Ｄ層６０８およびＥ層６１２を消失させ、さらに、夜間、Ｆ１層６１６およびＦ２層６２０を単一のＦ層６０４に再結合させる。太陽の位置は、地球上の所与の地点に対して変化するので、電離圏５１２の層６０８、６１２、６１６、および６２０の正確な特徴は、予測することが極めて困難になることもあるが、実験によって特定されてもよい。
【００２０】
電波が空間波伝搬を使用して遠く離れた場所に到達する能力は、（存在するときの）層６０８〜６２０におけるイオンの密度、送信された電磁エネルギーの周波数、および送信角度などの様々な因子に依存する。例えば、電波の周波数が徐々に増加された場合、電離圏５１２の最小の電離層であるＤ層６０８によって電波が屈折される可能性のない点に到達する。波は、Ｄ層６０８を通り、Ｅ層６１２まで存続することもあり、ここで波の周波数が依然として大きすぎるので、同様にこの層を通過する信号を屈折させることができないこともある。波１２４は、地球に向けて曲げられる前に、Ｆ２層６２０まで、および、場合によっては、同様にＦ１層６１６まで、存続することもある。場合によって、周波数は、あらゆる屈折が発生することを不可能にする臨界周波数を超えることもあり、電磁エネルギーが地球の大気圏外へ放射されることを引き起こす（７０８）。
【００２１】
このように、一定の周波数を超えて垂直に送信された電磁エネルギーは、宇宙まで続き、電離圏５１２によって屈折されない。しかし、一部の臨界周波数より低い波には、伝搬角度７０４が垂直よりも小さい場合、屈折されることがあるものもある。また、伝搬角度７０４を小さくすることによって、跳躍距離７２４を渡り、遠く離れたアンテナ１３２に到達することを可能にする跳躍帯７２０の範囲内で、アンテナ１２８によって送信された電磁波１２４は、地球の表面に向けて屈折されることが可能になる。このように、一定の跳躍距離７２４を越えて空間波伝搬が成功する機会は、さらに、送信角度および周波数に依存し、したがって、最大使用周波数は、電離圏の条件、所望の跳躍距離７２４、伝搬角度７０４と共に変化する。また、図７は、地表波の信号および／または見通し線の信号７１６などの非空間波伝搬が、跳躍距離７２４を渡る可能性がないということを示す。
【００２２】
図８は、通信ノード１１２および１１６のような通信ノード８００のさらなる態様の１つの例を示す。通信ノード８００は、通信ノード８００の様々な態様を制御するためにプロセッサ８０４を含むことができる。プロセッサは、ルールまたはコマンドデータ８２０を格納するのに役立つメモリ８１６に結合されてもよい。また、ユーザ入力を受け入れ、ユーザに出力をもたらす（Ｉ／Ｏ）ためのデバイス（８２４）が含まれてもよい。これらのデバイスは、キーボードもしくはキーパッド、マウス、フラットパネルモニタ等などの表示装置、プリンタ、プロッタ、もしくは３Ｄプリンタ、カメラ、またはマイクロフォンを含んでもよい。ユーザＩ／Ｏのための任意の適切なデバイスが、含まれてもよい。また、ノード８００は、プロセッサ８０４に応答し、通信ネットワーク８３６に結合されたネットワークインターフェース８３２を含んでもよい。セキュリティモジュール８２８が、同様に含まれてもよく、通信ノード８００の間を通過する際に、第三者がデータを傍受、閉塞、または変更する機会を低減または除去するために使用されてもよい。１つの例では、通信ノード８００は、ノード８００の様々な態様の相互作用を制御するためのソフトウェアを実行するコンピュータとして実装される。
【００２３】
ネットワークインターフェース８３６は、コマンドデータ８２０、または、トリガシステム８４０から受け渡され得るトリガデータなどのデータを送り、受信するように構成されてもよい。通信ネットワーク８３６は、インターネットなどのネットワークに結合され、空間波伝搬を使用せずにデータを送り、受信するように構成されてもよい。例えば、通信ネットワーク８３６は、光ファイバ、または、前図に示された伝送回線１４４と同様の、地球に沿って走る他の伝送回線でデータを送信し、受信してもよい。
【００２４】
ノード８００は、プロセッサ８０４に応答し、無線周波数通信インターフェース８１２に結合された第２のネットワークインターフェース８０８を含んでもよい。この第２のネットワークインターフェース８０８は、コマンドデータ８２０、または、トリガシステム８４０から受け渡されるトリガデータなどのデータを伝送するために使用されてもよい。ネットワークインターフェース８０８は、複数のアンテナまたはアンテナ素子を含み得るアンテナ１２８のようなアンテナに結合されてもよい。無線周波数通信インターフェース８０８は、アンテナ１２８を介して送信され、および／または受信された電磁波を使用してトリガデータなどのデータを送り、受信するように構成されてもよい。上記で論じられたように、アンテナ１２８は、空間波伝搬を介して電磁波を送り、受信するように構成されてもよい。
【００２５】
ノード８００は、図９に示されたさらなる態様を含むことができる。無線周波数通信インターフェース８１２は、アンテナ１２８を使用して電磁エネルギーを送信するように構成された送信機９０４を含んでもよい。受信機９０８は、同様にオプションとして含まれ、アンテナ１２８から電磁波を受信するように構成されてもよい。また、送信機９０４および受信機９０８は、送信機９０４によって送信するために、デジタルストリームからの情報またはデータを符号化するためにインターフェース８１２によって受信された信号を変調するように構成されたモデム９１２に結合されてもよい。また、モデム９１２は、プロセッサ８０４によって使用でき、または、メモリ８１６に格納され得るデジタルデータのストリームに、送信された信号を復号するためにアンテナ１２８から受信機９０８によって受信された信号を復調するように構成されてもよい。
【００２６】
図１０から図１３は、様々なイベントに対応するコマンドおよびトリガデータを送信するために、どのように様々なネットワークが単独または一斉に使用可能であるかを示す、動作中の開示のシステムの例を示す。図１０〜図１３は、「Ａ」および「Ｂ」と分類された２つの別個の通信リンクの使用状況を示す。これらのリンクは、示されたように、別々にまたは同時に任意の適切な通信リンクを使用してよい。例えば、通信リンクＡは、通信リンク１０４のような低レイテンシのリンクであってよく、通信リンクＢは、通信リンク１０８のような高レイテンシのリンクであってよい。別の例では、両方のリンクＡおよびＢが、低レイテンシの通信リンクであってもよい。さらに別の例では、両方の通信リンクが、高レイテンシの通信リンクであってもよい。別の態様では、データ帯域幅の任意の組合せが、リンクＡおよびＢに対して使用されてもよい。例えば、リンクＡは、高または低データ帯域幅を有する低レイテンシのリンクであってもよく、リンクＢは、高または低データ帯域幅を有する高レイテンシのリンクであってもよい。
【００２７】
より詳細には、１つの例では、リンクＡは、トリガ信号を搬送する低レイテンシ／低帯域幅の通信リンクであり、空間波伝搬を介して伝搬されたＨＦ電波を使用して本明細書で論じられたように実装される。この例では、リンクＢは、コマンドデータを搬送する高レイテンシ／高帯域幅の通信リンクであり、光ファイバケーブル、同軸ケーブル、または、他の伝送回線を使用して本明細書で論じられたように実装される。
【００２８】
図１０は、時間の経過と共に、イベント１０２０、１０２４、および１０２８に対応するデータを受け渡すリンクＡおよびＢを示すこのような動作中のシステムを示す。図１０では、リンクＢは、低レイテンシのリンクＡよりも高いデータ帯域幅および高いレイテンシを有するものとして示される。高レイテンシのリンクＢは、対応する連続イベントに先立ち、ある期間にわたってコマンドデータを伝送するために利用される。イベント１０２０の前に、コマンドデータ１０１６は、高レイテンシのリンクＢで伝送されてもよく、リンクＢの比較的高いデータ帯域幅のため、大量のデータを伝送するのに比較的短い時間しかかからない。ほぼイベント１０２０が発生する時点で、トリガ信号１０１２は、低レイテンシのリンクＡで送信されてもよい。トリガ信号１０１２は、プロセッサ８０４などのプロセッサによって実行される１つまたは複数のコマンドを識別する識別子を含んでもよい。
【００２９】
この処理は、何度繰り返されてもよく、ここで、その後のイベント１０２４に対応するデータ１０１７は、イベント１０２４より先に高レイテンシのリンクＢで伝送されてもよい。次に、トリガ信号１０１３は、受信通信ノードのプロセッサにおいて様々な指示またはルールを実行する原因となるイベント１０２４に応答して空間波伝搬を使用する低レイテンシのリンクＡで送られてもよい。イベント１０２８は、システムに、予めデータ１０１８と共に送られるコマンドを選択し得るトリガ１０２４を送らせてよい。このように、図１０は、１つの通信ノードから遠く離れた通信ノードに高レイテンシのリンクＢでデータ１０１６、１０１７、および１０１８を連続して伝送することを示す。イベント１０２０、１０２４、および１０２８が時間と共に発生するので、トリガ信号１０１２、１０１３、１０１４は、コマンドまたは対応するイベントが起こる前に送られるデータ１０１６、１０１７、および１０１８の他の態様に作用するように、遠く離れた受信通信ノードをトリガするように構成された情報を、素早く伝送するために低レイテンシのリンクＡを使用してトリガされてもよい。
【００３０】
リンクＡおよびＢの他の構成および使用は、同様に想像される。別の例では、リンクＡは、コマンドデータおよびトリガ信号の両方を搬送する低レイテンシ／低帯域幅の通信リンクであり、空間波伝搬を介して伝搬されるＨＦ電波を使用して本明細書で論じられたように実装される。この例では、リンクＢは、コマンドデータおよびトリガデータを搬送する高レイテンシ／高帯域幅の通信リンクであり、光ファイバケーブル、同軸ケーブル、または他の伝送回線を使用して本明細書で論じられたように実装される。
【００３１】
開示のシステムのこの例の動作は、図１１に示される。図１１では、データ１１１６、１１１７、１１１８は、低レイテンシのリンクＡおよび高レイテンシのリンクＢの両方を使用して送信される。また、トリガ信号１１１２、１１１３、および１１１４は、イベント１１２０、１１２４、および１１２８に応答して、図示されたようにリンクＡおよびリンクＢの両方で送信されてもよい。この構成では、低レイテンシのリンクＡおよび高レイテンシのリンクＢは、個々に冗長性をもたらし、その結果、トリガまたはコマンドデータが、送信または受信されるのに失敗しても、（リンクＡ上の信号１１１２またはリンクＢ上のデータ１１１８およびトリガ信号１１１４などの）データは、依然として、別の通信リンクを通じて遠く離れた通信ノードに受け渡されてもよい。信号１１１２または１１１４は、機器故障、大気条件の変更、切断または損傷した光ファイバケーブル、アンテナまたはアンテナアレイへの損傷、等などのあらゆる理由のために受信または送られなくてもよい。
【００３２】
図１１に示されたように、リンクＡは、データ１１１６、１１１７、１１１８を伝送するためにさらなる時間を要することがあり、この場合、低レイテンシのリンクＡは、高レイテンシのリンクＢより低いデータ帯域幅を有する。他の例では、これらの局面は、逆転されることもあり、この場合、高レイテンシのリンクＢは、データを伝送するために低レイテンシのリンクＡより長い時間がかかり、または両方のリンクＡおよびＢは、ほぼ同じ時間がかかることもある。図１１は、例えば、データ１１１６は、高レイテンシ／高帯域幅のリンクＢ上よりも、低レイテンシ／低帯域幅のリンクＡ上を送信するのに長い時間がかかることがあるということを示す。
【００３３】
図１２は、高レイテンシ／高帯域幅のリンクＢで受け渡されたコマンドおよびトリガデータに対応するコマンドおよびトリガデータを伝送する低レイテンシ／低帯域幅のリンクＡの別の例を示す。この例では、データ１２１６は、イベント１２２０より先にリンクＢで伝送される。トリガ信号１２１２は、コマンド、ルールの比較、または、データ１２１６に対応する他の指示を活性化し、または実行するためにイベント１２２０に応答してリンクＡで受け渡される。この例では、高レイテンシのリンクＢは、符号化データの送信１２４０の安定したストリームの一部としてデータ１２１６を伝送する。符号化データ１２４０は、データ１２１６をマスクするために、ハッシュ化された、暗号化された、または別の方法で難読化されたデータの送信を含んでもよく、不正アクセスの機会を低減または除去する。このデータの符号化は、公開鍵または秘密鍵の暗号化、１方向または双方向のハッシュ化、等などの任意の適切な技法を使用してもよい。この例では、符号化データのストリーム１２４０は、高レイテンシのリンクＢで連続して伝送され、トリガ信号１２１２、１２１３、および１２１４と共にデータ１２１６、１２１７、および１２１８を含む。また、図１２は、システムが、符号化データ１２４０（１２１２、１２１３）の中にトリガ信号を含まずにトリガ信号を送信するように構成されてもよく、トリガデータ１２１４の最近のセットと共に低レイテンシのリンクＡで符号化されたストリーム１２４０をオプションとして送り始めてもよいことを示す。コマンドまたはトリガデータを含んでも含まなくてもよいデータの連続的なストリームを送ることによって、送信１２４０内の符号化されたコマンドへの不正アクセスは、イベント１２２０、１２２４、および１２２８に先立って、全体的に低減または除去されることが可能である。
【００３４】
また、低レイテンシのリンクＡ上を送られる送信は、不正アクセスの機会を低減または除去するために符号化されてもよく、符号化データ１２４０と共に同時に送られても、送られなくてもよい。図１２に示されたように、トリガ信号１２１２は、符号化データの連続的なストリームの一部ではない状態で送られてもよいが、一方、別の例では、同様のトリガ信号１２１４は、符号化データ１２４０の一部として送られてもよい。低レイテンシのリンクＡと共に、公開鍵または秘密鍵の暗号化、１方向のまたは双方向のハッシュ化、またはトリガデータ１２１４を覆い隠す他の適切な手段などの同様の符号化技法が、データに対して使用されてもよい。連続的な符号化データのストリームの一部としてトリガデータを送ることによって、トリガ信号が、時間に影響されやすくなることがあり、使用される前、またはその有効性が切れる前に、トリガ信号の内容を特定するのに途方もなく費用がかかるようにするので、不正アクセスが低減または除去されることが可能である。
【００３５】
動作中の開示のシステムの別の例は、図１３に示されており、ここで、トリガ信号１３１２、１３１３、１３１４は、低レイテンシのリンクＡと一致することがあり、搬送波信号またはデータのストリーム１３５０を送ることを止める。通信ノードは、搬送波１３５０を受信するように構成されてもよく、トリガ信号を送るより先に、搬送波１３５０が送られることを止める場合、トリガ信号１３１２、１３１３、または１３１４を受け入れることをトリガされてもよい。搬送波信号１３５０は、空間波伝搬によって、または、任意の他の適切な手段によって送られる連続的なデジタルまたはアナログ信号を含んでもよい。信号は、単一の周波数における連続的なアナログ信号、時間と共に連続して変化する信号、または他の適切な信号を含んでもよい。また、搬送波信号１３５０は、例えば、同じままの、または、時間と共に予測可能な方法で変わる情報を含む繰り返された一連のデータグラムを含むデジタルデータ送信を含んでもよい。
【００３６】
例えば、１３１５において、搬送波信号の脱落または変更は、受信通信ノードに対するトリガ信号、または、トリガ信号が送られようとしていることを示唆することがある。この例は、搬送波１３５０が、トリガ信号１３１２、１３１３、または１３１４の送信の直前に１３１５において送信を停止する場合など、「低信号」条件でのデータ１３１６、１３１７、１３１８に基づいてレスポンスをトリガするように構成された通信ノードとして特徴付けられてもよい。高レイテンシのリンクＢは、同様に構成されてもよい。搬送波１３５０の使用は、上記で論じられた任意のイベントに応答するために図１０〜図１３に示された任意の他の方法、または、その任意の組合せと併用して使用されてもよい。
【００３７】
本明細書で開示された例（図１０〜図１３など）のいずれかにおいて、システムの全体的なセキュリティは、悪質な第三者を混乱させ、今後の送信を傍受し、解読しようとする試みを抑止するために別個の通信リンクでアクションおよび／またはトリガメッセージの連続的なストリームを送ることによって強化されてもよい。同じメッセージは、異なる伝搬経路を有する別個の送信機および受信機、またはその任意の組合せで同時に複数のリンクで送られてもよい。これらのメッセージは、非常に短くても、または、他の送信と混ぜ合わされてもよく、連続的に、または所定のスケジュール上のほんの短い期間に送られてもよい。関連した態様では、セキュリティは、１つまたは複数の周波数で、空間波伝搬でショートメッセージを送ることによって、または、同時にいくつかの周波数でメッセージの小さな部分を送ることによって強化されてもよい。また、暗号化、双方向のハッシュ化、等など、様々なさらなる技法が、セキュリティを強化するために用いられてもよいが、これらの技法は、両方のリンクにおいてさらなるレイテンシを招くことがある。
【００３８】
両方のリンクをわたって同じまたは同様のサイズのデータを受け渡すために要求される時間における関連性は、図１０〜図１３から解釈されるべきではない。図１０〜図１３は、データを伝送するために高レイテンシ／高帯域幅のリンクＢに要求される時間の長さと低レイテンシ／低帯域幅のリンクＡに要求される時間の長さとの関係を示すこともあるが、図１０〜図１３は、制限するものではなく、例示的なものである。リンクＡは、リンクＢと同じサイズのデータを送るのにより多くまたは少ない時間をかけ、逆の場合も同様である。
【００３９】
図１０〜図１３に示された通信リンクのいずれかにおいて、空間波伝搬は、データを送信するために使用されてもよい。例えば、リンクＡおよびＢの両方は、本明細書で論じられたような空間波伝搬を使用する低レイテンシのリンクであってよい。この例では、低レイテンシのリンクＡおよびＢは、両方、高または低データ帯域幅に対して構成されてもよい。別の例では、リンクＡおよびＢの両方は、非限定的な例を数例挙げると、光ファイバケーブルを通過する電磁波、銅線、等など、空間波伝搬以外の伝搬技法を使用する高レイテンシのリンクであってもよい。高レイテンシのリンクＡおよびＢは、高または低データ帯域幅に対して構成されてもよい。
【００４０】
図１４の１４００において示されたものは、上記で論じられた特性を実装するシステム（例えば、図１に示されたシステム）によって取られることが可能であるアクションの一般的なフローである。コマンドまたはコマンドデータは、コマンドデータを送信するように構成されたノード１１２またはノード８００などの送信通信ノードによって１４０４で最初に送られてもよい。システムは、トリガイベントを待ち（１４０８）、トリガイベントが発生するときに１４１２でトリガデータを送ってもよい。次に、（例えば、ノード１１６または８００のような）受信通信ノードは、それに応じて、コマンドデータに含まれるコマンドを実行してもよい（１４１６）。
【００４１】
図１５に示されたものは、コマンドデータを送る際（１４０４）に行われることがあるアクションに関するさらなる詳細である。１５０４において、コマンドデータは、受信されるか、または作り出されてもよい。データは、送信する第三者から受信されてもよく、または、１つまたは複数のコマンドを生成するためにシステムそれ自体によって処理されてもよい。コマンドデータの１つの例は、金融取引によって実行される１つまたは複数の取引のコレクションである。コマンドは、様々なルールまたは前提条件に基づいて金融商品を自動的に買うおよび／または売るための注文を含んでよい。これらのルールまたは前提条件は、市場が一定の価格である場合、１つまたは複数の専門的な指標が購入もしくは売却を合図する場合、または、民間または政府機関から受信された一定の市場データが、所定のレベル（例えば、「新設住宅着工件数」、「国内総生産」、国債の金利、等）に対応する特定の値を含む場合、買うことまたは売ることを含んでよい。
【００４２】
セキュリティプロトコルは、本明細書の他の場所で論じられたように、コマンドデータに対してオプションとして適用されてもよい（１５０８）。このようなセキュリティプロトコルは、公開鍵または秘密鍵の暗号化技法を使用してコマンドデータを暗号化すること、双方向のハッシュ化等などの符号化アルゴリズムを適用することを含んでもよい。コマンドデータをセキュアにするための任意の適切な技法が、データを第三者によって判読または使用できないようにするために使用されてもよい。
【００４３】
コマンドデータは、送信通信ノードから受信通信ノードへ送信されることが可能である（１５１２）。一連の信号、パケット、および、任意の適切なサイズのデータグラムとしてコマンドデータを送ることなど、コマンドデータを通信するための任意の適切な技法が、使用されてもよい。コマンドデータもしくはトリガデータ（または両方）の送信は、通信リンク１０４などの低レイテンシ低帯域幅の通信リンクで、または、通信リンク１０８などの高レイテンシ高帯域幅の通信リンクで発生してもよい。また、コマンドデータは、順次またはほぼ同時に通信リンク１０４および１０８などの複数の通信リンクによって送信されてもよい。送信されたコマンドデータは、本明細書で論じられた通信リンクのいずれかを使用して、受信通信ノードによって受信されてもよい（１５１６）。システムは、データの一部が受信されない、または、送信中に破損した場合に、受信されたデータの整合性をオプションとしてチェックしてもよく、データを自動的に再び送るためにオプションとして送信通信ノードと調整してもよい。
【００４４】
コマンドデータが、受信通信ノードで受信されたときに、コマンドが、実行のために準備されてもよい（１５２０）。このような準備は、トリガイベントが発生するときにプロセッサまたは他の回路によって実行されるようにコンピュータのメモリに格納されたソフトウェアをアップグレードする、またはリプレースすることを含んでもよい。別の例では、１５２０で実行するためにコマンドを準備することは、コマンドを自動的に実施するためにフィールドプログラマブルゲートアレイ（ＦＰＧＡ）をプログラムすることを含んでもよい。この処理は、ＦＰＧＡまたは同様のプログラム可能な回路を使用するコンピュータに対してファームウェアアップグレードを実施することなどの任意の適切な手段によって発生してもよい。コマンドが、実行のために準備されたとき、システムは、次に、起こるべきトリガイベントを待ってもよい（１５２４）。
【００４５】
システムは、起こるべきトリガイベントを待つ間、様々な他の活動を実行してもよく、この例が、図１６に１４０８において示されている。トリガイベントが発生しなかった場合（１６０２）、様々なアクションが、通信リンクのどちらか一方の終端で、または両端で通信ノードによって行われてもよい。これらのアクションは、起こるべきトリガイベントを待つ間、連続して行われてもよい。
【００４６】
１６０４において、システムは、最大使用周波数を特定してもよい。このアクションは、空間波伝搬を介して通信するリンク１０４などの通信リンクを維持するために行われてもよい。最大使用周波数は、電磁スペクトル内の広範囲の周波数で信号を送る送信機９０４を制御するためのプロセッサ８０４のようなプロセッサを使用することによって実験的に自動的に特定されてもよい。また、プロセッサは、他の送信通信ノードからのレスポンスをリッスンするための受信機９０８を制御してもよい。次に、プロセッサは、様々な遠く離れた通信ノードとの通信を達成するために使用されることがある最大使用周波数を特定するために、送られた信号および受信されたレスポンスを分析してもよい。
【００４７】
別の例では、最大使用周波数は、政府機関などの第三者によって提供された伝搬データによって予測または特定されてもよい。このような第三者は、広範囲の周波数および距離にわたって空間波伝搬を連続して監視していることがあり、電磁スペクトル内の周波数の範囲にわたって跳躍距離を計算する補助としてこの伝搬データを提供する。また、距離、大気条件、および、伝搬に影響を与えるあらゆる他の因子のソフトウェアモデリングが、最大使用周波数を特定するために使用されてもよい。
【００４８】
システムは、１６０８において、最小使用周波数を特定することができる。最小使用周波数は、上記で説明されたように、または更新された第三者の伝搬データを受信し、処理することによって実験的に特定されてもよい。次に、最大および最小使用周波数は、プロセッサによってアクセス可能なメモリに格納されてもよい（１６１２）。
【００４９】
システムがイベントを待っているとき（１６０２）、通信ノードは、任意の有効なデータを含むことも含まないこともある信号の安定したストリームを送信してもよい。信号またはデータは、１６１６における送信のために準備され、上記で論じられたように、送信は、意味のあるコマンドデータまたはトリガデータを含んでも含まなくてもよい。次に、通信ノードは、例えば、一定の間隔で、または、データの特定配列によって送信を送ってもよい。このようにして、通信ノードは、通信リンクを維持してもよく、それによって、通信リンクが危険にさらされたときに、素早く気付くようになる。
【００５０】
通信リンクが、（通信リンク１０４などの）空間波伝搬を使用する場合、システムは、プロセッサまたは他のロジック回路を使用して送信周波数を選んでもよい（１６２０）。送信周波数を選ぶことは、１６０４および１６０８において特定された最小使用周波数と最大使用周波数との間で周波数を選択すること含んでもよい。これは、送信および受信のために、時間と共に異なる周波数を繰り返し選ぶように構成された「周波数ホッピング」システムに従って行われてもよい。また、送信周波数を選ぶことは、スペクトル拡散の「信号ホッピング」構成の中など、周波数の所定のセットまたは範囲から周波数を選択することを含んでもよい。周波数は、異なる周波数で複数の送信機または受信機を使用する多入力／多出力（ＭＩＭＯ：Ｍｕｌｔｉｐｌｅ−ｉｎｐｕｔ／Ｍｕｌｔｉｐｌｅ−ｏｕｔｐｕｔ）などによる、任意の適切な技法に従って特定されてもよい。次に、送信周波数が特定されるとすぐに、データが送信されてもよい（１６２４）。
【００５１】
図１６に示されたアクションは、システムが発生するイベントを待つ間（１６０２）、並行して続いてもよい。トリガイベントが発生すると、トリガデータが送られることが可能である（１４１２）。トリガデータが送られたときにシステムが取ることが可能であるアクションのさらなる詳細は、図１７に１４１２において示されている。トリガデータが、準備されてもよく（１７０４）、これには、第三者のデータソースからのトリガデータを抽出または受信すること、および通信リンク１０４または１０８などの通信リンクで送信するためにトリガデータを構成することを含んでもよい。セキュリティプロトコルは、第三者の個人が無許可でトリガデータを取得する機会を低減または除去するためにトリガデータに適用されてもよい（１７０８）。任意の適切なセキュリティプロトコルは、本明細書の他の場所で論じられたように適用されてもよい。
【００５２】
次に、送信周波数が選ばれてもよい（１７１２）。例は、前もって特定されたような、または「信号ホッピング」構成の中などの周波数の所定のセットから周波数を選択することによって、最大使用周波数と最小使用周波数との間で周波数を選択することを含む。別の例では、システムは、同時に複数の周波数で送信してもよい。次に、システムは、本明細書の他の場所で論じられたように、１つまたは複数の通信リンクに沿って１７１６においてトリガデータを送信してもよい。
【００５３】
図１８は、トリガデータを受信するときにシステムが取ることが可能であるアクションのさらなる詳細を示す。１４１６において示されたように、受信通信ノードは、１８０４においてトリガデータを受信してもよい。１８０８において、セキュリティプロトコルは、スクランブルを解除するため、暗号解読するため、復号するため、またはそうではなく、トリガデータが送られたときに適用された可能性のあるあらゆるセキュリティ対策を解除するために適用されてもよい。次に、プロセッサは、トリガデータ中の送られた識別子に基づいて実行するコマンドを識別するために（１８１２）、トリガデータを処理してもよい。また、トリガデータは、実行する複数のコマンドを識別する複数の識別子を含んでもよい。次に、システムは、トリガデータ内の識別されたコマンドを実行してもよい（１８１６）。
定義および代替の用語解説
特許請求の範囲および明細書で使用される言葉は、以下に明示的に定義されたようなものを除き、その言葉の平易かつ通常の意味だけを有することになる。この定義における単語は、その単語の平易かつ通常の意味だけを有することになる。このような平易かつ通常の意味は、最近に発行されたＷｅｂｓｔｅｒ’ｓ  ｄｉｃｔｉｏｎａｒｙおよび、Ｒａｎｄｏｍ  Ｈｏｕｓｅ  ｄｉｃｔｉｏｎａｒｙからの全ての一貫した辞書の定義を含む。明細書および特許請求の範囲で使用されたように、以下の定義は、以下の用語、または、その共通の変化（例えば、単数形／複数形、過去時制／現在時制、他）に適用する。
【００５４】
「アンテナ」または「アンテナシステム」は、一般に、任意の適切な構成における、電力を電磁放射に変換する電気デバイス、または一連のデバイスのことを言う。このような放射は、電磁スペクトルに沿って任意の周波数で垂直に、水平に、または円形に偏波されてもよい。円偏波で送信するアンテナは、右偏波または左偏波を有してよい。
【００５５】
電波の場合、アンテナは、極低周波（ＥＬＦ：ｅｘｔｒｅｍｅｌｙ  ｌｏｗ  ｆｒｅｑｕｅｎｃｙ）からミリ波（ＥＨＦ：ｅｘｔｒｅｍｅｌｙ  ｈｉｇｈ  ｆｒｅｑｕｅｎｃｙ）まで電磁スペクトルに沿って分布する周波数で送信してもよい。電波を送信するように設計されたアンテナまたはアンテナシステムは、金属導体（素子）の配列を備えることがあり、受信機または送信機に（多くの場合、伝送回線を通じて）電気的に接続される。送信機によってアンテナを通じて押し進められた振動する電子の流れは、アンテナ素子の周囲に振動する磁場を作り出すことができ、一方、電子の電荷も、素子に沿って振動する電場を作り出す。これらの時間変動する場は、移動するＴＥＭ波としてアンテナから離れて宇宙に放射する。逆に、受信中、入射する電磁波の振動する電場および磁場が、アンテナ素子内の電子に力を及ぼし、電子を前後に移動させ、アンテナ内に振動する電流を作り出す。次に、これらの電流は、受信機によって検出され、デジタルまたはアナログの信号またはデータを取り出すために処理されてもよい。
【００５６】
アンテナは、実質的に均等に全ての水平方向に（無指向性アンテナ）、または優先的に特定の方向に電波を送信および受信するように設計されてもよい（指向性または高利得アンテナ）。後者の場合、アンテナは、送信機または受信機に対する任意の物理的、電気的な接続を有しているか、または有していなくてよい、さらなる素子または面も含んでよい。例えば、寄生素子、放物面反射器またはホーン、および他のこのような非通電の素子は、ビームまたは他の所望の放射パターンに電波を向ける役割を果たす。このようにアンテナは、これらの様々な面または素子の配置による増加または減少された指向性または「利得」を発揮するように構成されてもよい。高利得アンテナは、垂直、水平、または、その任意の組合せであってもよい所与の方向に放射された電磁エネルギーの実質的に大部分を向けるように構成されてもよい。
【００５７】
また、アンテナは、電離圏などの大気の上層に向けて電磁エネルギーを集束させるために、地球に対する鉛直角の特有の範囲内（すなわち「取出し角度」）で電磁エネルギーを放射するように構成されてもよい。特有の角度で上層大気に電磁エネルギーを向けることによって、特有の跳躍距離が、特定の周波数で電磁エネルギーを送信することによって、日中の特定の時間に達成されることがある。
【００５８】
アンテナの他の例は、電磁スペクトルの可視または不可視光線部分において、電磁エネルギーのパルスに電気エネルギーを変換するエミッタおよびセンサを含む。例は、遠赤外線から極紫外線までの電磁スペクトルに沿って分布する周波数で電磁エネルギーを生成するように構成された発光ダイオード、レーザ等を含む。
【００５９】
「コマンド」または「コマンドデータ」は、一般に、単独で、または組合せで、１つまたは複数のアクションを行うために、機械を制御する１つまたは複数の指令、指示、アルゴリズム、またはルールのことを言う。コマンドは、格納され、伝送され、送信され、または他の形で、任意の適切な方法で処理されてもよい。例えば、コマンドは、メモリ内に格納され、または、任意の適切な媒体を通過する任意の適切な周波数で電磁放射として通信ネットワークで送信されてもよい。
【００６０】
「コンピュータ」は、一般に、任意の数の入力値または変数から結果を計算するように構成された任意のコンピューティングデバイスのことを言う。コンピュータは、入力または出力を処理するために計算を実施するためにプロセッサを含んでもよい。コンピュータは、プロセッサによって処理される値を格納するため、または、従前の処理の結果を格納するためにメモリを含んでもよい。
【００６１】
また、コンピュータは、値を受信するまたは送るための多彩な入力および出力デバイスからの入力および出力を受け入れるように構成されてもよい。このようなデバイスは、他のコンピュータ、キーボード、マウス、表示装置、プリンタ、産業機器、および、全てのタイプおよびサイズのシステムまたは機械類を含む。例えば、コンピュータは、要請に応じて様々なネットワーク通信を実施するためにネットワークインターフェースを制御することができる。ネットワークインターフェースは、コンピュータの一部であってもよく、または、コンピュータとは別個かつ遠く離れたものとして特徴付けられてもよい。
【００６２】
コンピュータは、デスクトップコンピュータ、ラップトップコンピュータなどの単一で物理的なコンピューティングデバイスであってよく、または、ネットワーク化されたクラスタ内で１つのデバイスとして動作する一群のサーバ、または、１つのコンピュータとして動作し、通信ネットワークによって一緒にリンクされた異なるコンピューティングデバイスの異種混合の組合せなど、同じタイプの多数のデバイスから成り立っていてもよい。また、コンピュータに接続された通信ネットワークは、インターネットなどのより広範なネットワークに接続されてもよい。このようにコンピュータは、１つまたは複数の物理的なプロセッサまたは他のコンピューティングデバイスもしくは回路を含んでもよく、任意の適切なタイプのメモリも含んでもよい。
【００６３】
また、コンピュータは、未知数のまたは変動する数の物理的なプロセッサおよびメモリまたはメモリデバイスを有する仮想コンピューティングプラットフォームであってもよい。このように、コンピュータは、１つの地理的な場所に物理的に設置されるか、または、いくつかの広範に散らばった場所にわたって物理的に広がってもよく、複数のプロセッサは、単一のコンピュータとして動作するように通信ネットワークによって一緒にリンクされる。
【００６４】
また、コンピュータまたはコンピューティングデバイス内の「コンピュータ」および「プロセッサ」の概念は、開示のシステムの一部として計算または比較を行う役割を果たす任意のこのようなプロセッサまたはコンピューティングデバイスを包含する。コンピュータにおいて発生する閾値の比較、ルールの比較、計算、等に関連した動作を処理することは、例えば、別個のサーバ、別個のプロセッサを有する同じサーバで、または上記で説明されたような、未知数の物理的なプロセッサを有する仮想コンピューティング環境で発生してもよい。
【００６５】
コンピュータは、１つまたは複数の視覚表示装置にオプションとして結合されてもよく、および／または統合された表示装置を含んでもよい。同様に、表示装置は、同じタイプ、または、異なる視覚デバイスの異種混合の組合せのものであってよい。また、コンピュータは、代表的なほんの数例を挙げれば、キーボード、マウス、タッチスクリーン、レーザもしくは赤外線ポインティングデバイス、または、ジャイロスコープのポインティングデバイスなどの１つまたは複数のオペレータの入力デバイスを含んでもよい。また、表示装置に加えて、プリンタ、プロッタ、工業生産機械、３Ｄプリンタ、等などの、１つまたは複数の他の出力デバイスが含まれてもよい。したがって、様々な表示装置、入力および出力デバイスの配列が可能である。
【００６６】
複数のコンピュータまたはコンピューティングデバイスは、通信ネットワークを形成するために、有線または無線通信リンクで、互いにまたは他のデバイスと通信するように構成されてもよい。ネットワーク通信は、インターネットなどの他のより大きなコンピュータネットワーク上を通過する前に、スイッチ、ルータ、ファイアウォール、または、他のネットワークデバイスもしくはインターフェースなどのネットワーク機器として動作する様々なコンピュータを通過してもよい。また、通信は、伝送回線または自由空間を通じて電磁波で搬送される無線データ送信として通信ネットワーク上を通過されてもよい。このような通信は、ＷｉＦｉもしくは他の無線ローカルエリアネットワーク（ＷＬＡＮ：Ｗｉｒｅｌｅｓｓ  Ｌｏｃａｌ  Ａｒｅａ  Ｎｅｔｗｏｒｋ）、または、データを伝送するためのセルラー送信機／受信機を使用することを含む。このような信号は、８０２．１１ａ／ｂ／ｇ／ｎ、３Ｇ、４Ｇ、等などの多くの無線または移動体通信の技術標準のいずれかに準拠する。
【００６７】
「通信リンク」は、一般に、２つ以上の通信エンティティ間の接続のことを言い、通信エンティティ間の通信チャネルを含んでも含まなくてもよい。通信エンティティ間の通信は、任意の適切な手段によって発生してもよい。例えば、接続は、実際の物理的なリンク、電気的なリンク、電磁気的なリンク、論理的なリンク、または、通信を容易にする任意の他の適切なリンク機構として実装されてもよい。
【００６８】
実際の物理的なリンクの場合、通信は、別の要素に対する一方の要素の物理的な動きによって互いに応答すると考えられる通信リンク内の複数の構成要素によって発生してもよい。電気的なリンクの場合、通信リンクは、通信リンクを形成するように電気的に接続された複数の導電体から成り立ってもよい。
【００６９】
電磁気的なリンクの場合、接続の要素は、任意の適切な周波数で電磁エネルギーを送ること、または受信することによって実装されてもよく、このように、通信は、電磁波として受け渡すことができる。これらの電磁波は、光ファイバなどの物理的な媒体もしくは自由空間、または、その任意の組合せを通過することも、しないこともある。電磁波は、電磁スペクトル内の任意の周波数を含む任意の適切な周波数で受け渡されてもよい。
【００７０】
論理的なリンクの場合、通信リンクは、受信局内にある送信局などの送信者と受信者との間の概念的なリンク機構であってよい。論理的なリンクは、物理的な、電気的な、電磁気的な、または他のタイプの通信リンクの任意の組合せを含んでもよい。
【００７１】
「通信ノード」は、一般に、通信リンクに沿った、物理的もしくは論理的な接続ポイント、再配布ポイント、またはエンドポイントのことを言う。物理的なネットワークノードは、一般に、物理的に、論理的に、または、電磁的に通信リンクに取り付けられた、または結合された能動電子デバイスと呼ばれる。物理的なノードは、通信リンクで情報を送ること、受信すること、または転送することができる。通信ノードは、コンピュータ、プロセッサ、送信機、受信機、中継器、および／もしくは伝送回線、またはそれらの任意の組合せを含んでも含まなくてもよい。
【００７２】
「臨界角」は、一般に、地球の中心に伸びる垂直線に対する最大角度のことを言い、その角度で、特有の周波数における電磁波は、空間波伝搬を使用して地球に戻されることが可能である。
【００７３】
「臨界周波数」は、一般に、空間波伝搬を使用して所与の電離圏の条件の下で垂直に送信されたとき、地球に戻される最大周波数のことを言う。
「データ帯域幅」は、一般に、通信システム内の論理的または物理的な通信経路の最大スループットのことを言う。データ帯域幅は、１秒あたりの伝送されるデータの単位で表現されることが可能である伝送レートである。デジタル通信ネットワークでは、伝送されるデータの単位は、ビットであり、したがって、デジタル通信ネットワークの最大スループットは、一般に、「１秒あたりのビット」すなわち「ｂｉｔ／ｓ」で表現される。さらに言うと、用語「ｋｉｌｏｂｉｔ／ｓ」または「Ｋｂｉｔ／ｓ」、「Ｍｅｇａｂｉｔ／ｓ」または「Ｍｂｉｔ／ｓ」、および、「Ｇｉｇａｂｉｔ／ｓ」または「Ｇｂｉｔ／ｓ」も、所与のデジタル通信ネットワークのデータ帯域幅を表現するために使用されることが可能である。データネットワークは、「最大ビットレート」、「平均ビットレート」、「最大持続ビットレート」、「情報レート」、または「物理層の有効ビットレート」などの特有の測定基準によって、データネットワークのデータ帯域幅の性能特徴に従って格付けされてもよい。例えば、帯域幅の試験は、コンピュータネットワークの最大スループットで計測される。この使用方法の理由は、Ｈａｒｔｌｅｙの法則（Ｈａｒｔｌｅｙ’ｓ  Ｌａｗ）に従うというものであり、物理的な通信リンクの最大データレートは、ヘルツを単位とした、通信リンクの周波数の帯域幅に比例するというものである。
【００７４】
また、データ帯域幅は、特定の通信ネットワークに対する最大伝送レートに従って特徴付けられてもよい。例えば、
「低データ帯域幅」は、一般に、１秒あたり約１，０００，０００単位以下のデータである最大データ伝送レートを有する通信ネットワークのことを言う。例えば、デジタル通信ネットワークでは、データの単位は、ビットである。したがって、低データ帯域幅のデジタル通信ネットワークは、１秒あたり約１，０００，０００ビット（１Ｍｂｉｔｓ／ｓ）以下の最大伝送レートを有するネットワークである。
【００７５】
「高データ帯域幅」は、一般に、１秒あたり約１，０００，０００より大きい単位のデータである最大データ伝送レートを有する通信ネットワークのことを言う。例えば、高データ帯域幅を有するデジタル通信ネットワークは、１秒あたり約１，０００，０００ビット（１Ｍｂｉｔｓ／ｓ）より大きい最大伝送レートを有するデジタル通信ネットワークである。
【００７６】
「電磁放射」は、一般に、電磁波によって放射されるエネルギーのことを言う。電磁放射は、他のタイプのエネルギーから生み出され、エネルギーが消失するときに他のタイプに変換される。電磁放射は、（真空において）光速で発生源から離れて伝わるとき、このエネルギーを搬送する。また、電磁放射は、運動量および角運動量の両方も搬送する。これらの属性は、発生源から外側に離れるときに電磁放射が相互作用する物質に全て伝わることがある。
【００７７】
電磁放射は、一方の媒質から別の媒質に入る際に速度を変える。一方の媒質から次の媒質へ遷移すると、新しい媒質の物理的な属性によって、放射されたエネルギーのうちの一部または全部が反射して、残りのエネルギーが新しい媒質に入ることがある。これは、電磁放射が伝わる際に遭遇する媒質間の全ての接点で発生する。
【００７８】
光子は、電磁相互作用の量子であり、電磁放射の全ての形式の基本成分である。光の量子性は、電磁放射の周波数が増加するにつれて、電磁放射が、より粒子のように振舞い、波のように振舞わなくなるので、高い周波数でより明らかになる。
【００７９】
「電磁スペクトル」は、一般に、電磁放射の全ての可能な周波数の範囲のことを言う。電磁スペクトルは、一般に、増加する周波数およびエネルギーならびに減少する波長の順に以下のように分類される。
【００８０】
「極低周波」（ＥＬＦ）は、一般に、波長が長さ約１００，０００ｋｍから１０，０００ｋｍまでの、約３Ｈｚから約３０Ｈｚの周波数帯を示す。
「超低周波」（ＳＬＦ：Ｓｕｐｅｒ  ｌｏｗ  ｆｒｅｑｕｅｎｃｙ）は、一般に、波長が長さ約１０，０００ｋｍから約１０００ｋｍまでの、約３０Ｈｚと約３００Ｈｚとの間に一般に分布する周波数帯を示す。
【００８１】
「音声周波数」または「音声帯域」は、一般に、人間の耳に聞こえる電磁エネルギーを示す。成人男性は、一般に、約８５Ｈｚと約１８０Ｈｚとの間の範囲で話し、一方、成人女性は、一般に、約１６５Ｈｚから約２５５Ｈｚまでの範囲で会話する。
【００８２】
「超長波」（ＶＬＦ：Ｖｅｒｙ  ｌｏｗ  ｆｒｅｑｕｅｎｃｙ）は、一般に、長さ約１０ｋｍから約１００ｋｍまでの対応する波長を有する、約３ｋＨｚから約３０ｋＨｚまでの周波数帯を示す。
【００８３】
「長波」（ＬＦ：Ｌｏｗ−ｆｒｅｑｕｅｎｃｙ）は、一般に、波長が約１ｋｍから約１０ｋｍまで分布する、約３０ｋＨｚから約３００ｋＨｚまでの範囲の周波数帯を示す。
「中波」（ＭＦ：Ｍｅｄｉｕｍ  ｆｒｅｑｕｅｎｃｙ）は、一般に、波長が長さ約１０００ｍから約１００ｍまでの、約３００ｋＨｚから約３ＭＨｚまでの周波数帯を示す。
【００８４】
「短波」（ＨＦ：Ｈｉｇｈ  ｆｒｅｑｕｅｎｃｙ）は、一般に、波長が長さ約１００ｍから約１０ｍまでの、約３ＭＨｚから約３０ＭＨｚまでの周波数帯を示す。
「超短波」（ＶＨＦ：Ｖｅｒｙ  ｈｉｇｈ  ｆｒｅｑｕｅｎｃｙ）は、一般に、波長が長さ約１０ｍから約１ｍまでの、約３０Ｈｚから約３００ＭＨｚまでの周波数帯を示す。
【００８５】
「極超短波」（ＵＨＦ：Ｕｌｔｒａ  ｈｉｇｈ  ｆｒｅｑｕｅｎｃｙ）は、一般に、重さの波長が長さ約１ｍから約１０ｃｍまで分布する、約３００ＭＨｚから約３ＧＨｚまでの周波数帯を示す。
【００８６】
「センチメートル波」（ＳＨＦ：Ｓｕｐｅｒ  ｈｉｇｈ  ｆｒｅｑｕｅｎｃｙ）は、一般に、波長が長さ約１０ｃｍから約１ｃｍまで分布する、約３ＧＨｚから約３０ＧＨｚまでの周波数帯を示す。
【００８７】
「ミリ波」（ＥＨＦ：Ｅｘｔｒｅｍｅｌｙ  ｈｉｇｈ  ｆｒｅｑｕｅｎｃｙ）は、一般に、波長が長さ約１ｃｍから約１ｍｍまで分布する、約３０ＧＨｚから約３００ＧＨｚまでの周波数帯を示す。
【００８８】
「遠赤外線」（ＦＩＲ：Ｆａｒ  ｉｎｆｒａｒｅｄ）は、一般に、波長が長さ約１ｍｍから約１５μｍまで分布する、約３００ＧＨｚから約２０ＴＨｚまでの周波数帯を示す。
【００８９】
「長波長赤外線」（ＬＷＩＲ：Ｌｏｎｇ−ｗａｖｅｌｅｎｇｔｈ  ｉｎｆｒａｒｅｄ）は、一般に、波長が長さ約１５μｍから約８μｍまで分布する、約２０ＴＨｚから約３７ＴＨｚまでの周波数帯を示す。
【００９０】
「中赤外線」（ＭＩＲ：Ｍｉｄ  ｉｎｆｒａｒｅｄ）、一般に、波長が長さ約８μｍから約３μｍまでの、約３７ＴＨｚから約１００ＴＨｚまでの周波数帯を示す。
「短波長赤外線」（ＳＷＩＲ：Ｓｈｏｒｔ  ｗａｖｅｌｅｎｇｔｈ  ｉｎｆｒａｒｅｄ）は、一般に、波長が長さ約３μｍから約１．４μｍまでの、約１００ＴＨｚから約２１４ＴＨｚまでの周波数帯を示す。
【００９１】
「近赤外線」（ＮＩＲ：Ｎｅａｒ−ｉｎｆｒａｒｅｄ）は、一般に、波長が長さ約１．４μｍから約７５０ｎｍまでの、約２１４ＴＨｚから約４００ＴＨｚまでの周波数帯を示す。
【００９２】
「可視光線」は、一般に、波長が長さ約７５０ｎｍから約４００ｎｍまでの、約４００ＴＨｚから約７５０ＴＨｚまでの周波数帯を示す。
「近紫外線」（ＮＵＶ：Ｎｅａｒ  ｕｌｔｒａｖｉｏｌｅｔ）は、一般に、波長が長さ約４００ｎｍから約３００ｎｍまでの、約７５０ＴＨｚから約１ＰＨｚまでの周波数帯を示す。
【００９３】
「中紫外線」（ＭＵＶ：Ｍｉｄｄｌｅ  ｕｌｔｒａｖｉｏｌｅｔ）は、一般に、波長が長さ約３００ｎｍから約２００ｎｍまでの、約１ＰＨｚから約１．５ＰＨｚまでの周波数帯を示す。
【００９４】
「遠紫外線」（ＦＵＶ：Ｆａｒ  ｕｌｔｒａｖｉｏｌｅｔ）は、一般に、波長が長さ約２００ｎｍから約１２２ｎｍまでの、約１．５ＰＨｚから約２．４８ＰＨｚまでの周波数帯を示す。
【００９５】
「極紫外線」（ＥＵＶ：Ｅｘｔｒｅｍｅ  ｕｌｔｒａｖｉｏｌｅｔ）は、一般に、波長が長さ約１２１ｎｍから約１０ｎｍまでの、約２．４８ＰＨｚから約３０ＰＨｚまでの周波数帯を示す。
【００９６】
「軟Ｘ線」（ＳＸ：Ｓｏｆｔ  ｘ−ｒａｙｓ）は、一般に、波長が長さ約１０ｎｍから約１００ｐｍまでの、約３０ＰＨｚから約３ＥＨｚまでの周波数帯を示す。
「硬Ｘ線」（ＨＸ：Ｈａｒｄ  ｘ−ｒａｙｓ）は、一般に、波長が長さ約１００ｐｍから約１０ｐｍまでの、約３ＥＨｚから約３０ＥＨｚまでの周波数帯を示す。
【００９７】
「ガンマ線」は、一般に、波長が長さ約１０ｐｍ未満の、約３０ＥＨｚより上の周波数帯を示す。
「電磁波」は、一般に、別個の電気的かつ磁気的な構成要素を有する波のことを言う。電磁波の電気的かつ磁気的な構成要素は、位相で振動し、角度９０度で常に分離している。電磁波は、媒質中または真空中を通過することができる電磁放射を作り出す発生源から放射することができる。電磁波は、電磁スペクトル内の任意の周波数で振動する波を含み、電波、可視および不可視光線、Ｘ線、ならびにガンマ線を含むが、これらに限定されない。
【００９８】
「周波数帯域幅」または「帯域」は、一般に、高い方の周波数と低い方の周波数によって範囲を定められた周波数の連続した範囲のことを言う。このように、周波数帯域幅は、典型的には、帯域の高い方の周波数と低い方の周波数との間の差を表すヘルツ数（１秒あたりの周期）として表現され、高い方の周波数および低い方の周波数のそれら自体を含んでも含まなくてもよい。したがって、「帯域」は、所与の領域に対する所与の周波数帯域幅によって定義される場合があり、一般に、用語に一致して示される。例えば、合衆国において「２０メートルバンド」は、１４ＭＨｚから１４．３５ＭＨｚまでの周波数範囲を割り当てられ、したがって、０．３５ＭＨｚまたは３５０ＫＨｚの周波数帯域幅を定義する。別の例では、国際電気通信連合（ＩＴＵ）は、「ＵＨＦ帯」として３００ＭＨｚから３ＧＨｚまでの周波数範囲を示してきた。
【００９９】
「光ファイバ通信」は、一般に、光ファイバを通じて電磁エネルギーのパルスを送ることによって一方の場所から別の場所へデータを送信する方法のことを言う。送信したエネルギーは、データを搬送するために変調される場合がある電磁気的な搬送波を形成してもよい。光ファイバケーブルを使用してデータを送信する光ファイバの通信回線は、高データ帯域幅を有するように構成されることが可能である。例えば、光ファイバの通信回線は、約１５Ｔｂｉｔ／ｓ、約２５Ｔｂｉｔ／ｓ、約１００Ｔｂｉｔ／ｓ、約１Ｐｂｉｔ／ｓ、またはそれ以上に達する高データ帯域幅を有することができる。光電子中継器は、光ファイバケーブルの１つのセグメントから電磁エネルギーを電気信号に変換するために光ファイバの通信回線に沿って使用されてもよい。中継器は、受信された信号強度よりも高い信号強度で光ファイバケーブル別のセグメントに沿って電磁エネルギーとして電気信号を再送信することができる。
【０１００】
「金融商品」は、一般に、任意の種類の取引可能な資産のことを言う。一般的な例は、現金、法主体における所有持分の証拠、または、現金もしくは別の金融商品を受け取るもしくは届けるための契約上の権利を含むが、これらに限定されるものではない。具体例は、債券、証券（例えば、コマーシャルペーパおよび短期国債）、株式、ローン、預金、預金証書、債券先物もしくは債券先物オプション、短期金利先物、ストックオプション、エクイティ先物、通貨先物、金利スワップ、金利キャップおよびフロア、金利オプション、金利先渡取引、ストックオプション、外国為替オプション、外国為替スワップ、通貨スワップ、または任意の種類の金融派生商品を含む。
【０１０１】
「地表」は、電気的な／電磁気的な意味で多く使用され、一般に、海洋、湖沼、および河川などの陸地および水域を含む地球の表面のことを言う。
「地表波伝搬」は、一般に、１つまたは複数の電磁波が、地表と大気の境界を介して伝導され、地表に沿って伝わる送信方法のことを言う。電磁波は、地球の半導性の表面と相互作用することによって伝搬する。本質的に、電磁波は、地球の曲率を辿るようにその表面に付いて離れない。典型的には、常にというわけではないが、電磁波は、長波の電波によって形成される地表波または表面波の形状をしている。
【０１０２】
「識別子」は、一般に、一意のもの、または、複数のものの一意のクラスを識別する（すなわち識別情報を標識付ける）名前のことを言い、ここで、「オブジェクト」またはクラスは、概念、物理的なオブジェクト（もしくはそのクラス）、または、物理的な実体（もしくはそのクラス）であってよい。省略形「ＩＤ」は、多くの場合、識別情報、識別証明（識別するプロセス）、または、識別子（すなわち、識別証明の具体例）のことを言う。識別子は、単語、数字、文字、記号、形、色、音、またはそれらの任意の組合せを含んでも含まなくてもよい。
【０１０３】
単語、数字、文字、または記号は、符号化システムを採用してもよく、（文字、桁、単語、もしくは記号が、概念または比較的長い識別子を表し）、または、単純に自由に決めてもよい。識別子が、符号化システムを採用すると、識別子は、多くの場合、コードまたはＩＤコードと呼ばれる。いずれの符号化方式も採用しない識別子は、識別子が、何かを識別することを越えていずれの他の文脈でも意味を持たずに任意に割り当てられるので、多くの場合、任意のＩＤと言われる。
【０１０４】
「電離圏」は、一般に、高濃度イオンおよび自由電子を含み、電波を反射することができる地球の大気の層のことを言う。電離圏は、熱圏ならびに中間圏と外気圏の一部を含む。電離圏は、地表の上、約４０ｋｍから１，０００ｋｍ（約２５マイルから約６００マイル）までに及ぶ。電離圏は、太陽黒点などの太陽の活動含む多くの因子によって、高度、密度、および厚さがかなり変化する多くの層を含む。電離圏の様々な層は、以下に識別される。
【０１０５】
電離圏の「Ｄ層」は、地表の上、約４０ｋｍ（２５マイル）から約９０ｋｍ（５５マイル）までに分布する最も内側の層である。この層は、長波の信号を屈折させる能力を有するが、短波の無線信号は、いくらか減衰しながら通過することができる。Ｄ層は、通常、全ての例においてではないが、イオンの急速な再結合によって、日没後、急速に消滅する。
【０１０６】
電離圏の「Ｅ層」は、地表の上、約９０ｋｍ（５５マイル）から約１４５ｋｍ（９０マイル）まで及ぶ中間層である。Ｅ層は、典型的には、周波数がＤ層よりも高い信号を屈折させる能力を有する。条件によって、Ｅ層は、通常、２０ＭＨｚまでの周波数を屈折させることができる。Ｅ層におけるイオンの再結合の速度は、いくぶん速く、その結果、日没後、Ｅ層は、夜半までにほぼ完全に消滅する。さらに、Ｅ層は、強力な電離の小さく薄い雲によって形成される「Ｅｓ層」または「スポラディックＥ層」と呼ばれる層をさらに含む場合がある。スポラディックＥ層は、まれにではあるが、２２５ＭＨｚまでの周波数でさえ、電波を反射することができる。スポラディックＥ層は、ほとんどの場合、夏季に形成し、約１，６４０ｋｍ（１，０２０マイル）の跳躍距離を有する。スポラディックＥ層によって、１回のホップ伝搬は、約９００ｋｍ（５６０マイル）から２，５００ｋｍ（１，６００マイル）になる場合があり、２回のホップ伝搬は、３，５００ｋｍ（２，２００マイル）を超える場合がある。
【０１０７】
電離圏の「Ｆ層」は、地球の表面の上、約１４５ｋｍ（９０マイル）から５００ｋｍ（３１０マイル）以上に及ぶ頂部の層である。Ｆ層における電離は、典型的には、かなり高く、日中に広範に変化し、最大の電離は、正午頃に普段発生する。日中、Ｆ層は、Ｆｉ層およびＦ２層の２つの層に分離する。Ｆ２層は、最も外側の層であり、したがって、Ｆｉ層よりも高いところにある。これらの高度で大気が希薄になることを考慮すると、イオンの再結合は、ゆっくりと発生するので、Ｆ層は、日中または夜間、絶えず電離されたままであり、その結果、ほとんどの（全てではないが）電波の空間波伝搬は、Ｆ層内で発生し、それによって長距離にわたる短波（ＨＦ）すなわち短波通信を容易にする。例えば、Ｆ層は、３０ＭＨｚまでの周波数に対する短波の長距離送信を屈折させることができる。
【０１０８】
「レイテンシ」は、一般に、システムにおける原因と結果との間の時間間隔のことを言う。レイテンシは、物理的には、制限された速度が原因となって生じた結果であり、これによって、任意の物理的な相互作用がシステム全体にわたって伝搬する可能性がある。レイテンシは、物理的には、制限された速度が原因となって生じた結果であり、これによって、任意の物理的な相互作用が伝搬する可能性がある。システム全体にわたって結果が伝搬することができる速度は、常に光速以下である。したがって、原因と結果との間にいくらかの距離を含むあらゆる物理的なシステムは、ある種のレイテンシに遭遇する。例えば、通信リンクまたは通信ネットワークでは、レイテンシは、一般に、データが一方の点から別の点に進むのにかかる最低時間のことを言う。また、通信ネットワークに関するレイテンシは、エネルギーを一方の点からネットワークに沿って別の点へ移動させるのにかかる時間として特徴付けられてもよい。特定の伝搬経路を辿る電磁エネルギーの伝搬によって引き起こされる遅延に関して、レイテンシは、以下のように分類される場合がある。
【０１０９】
「低レイテンシ」は、一般に、光が真空中の所与の伝搬経路を伝わるのに要求される時間よりも１０％長い伝搬時間よりも短い、またはほぼ同じ時間のことを言う。公式として表現されると、低レイテンシは、以下のように定義される。
【０１１０】
【数１】
2018511252.tif 000003
【０１１１】
ただし、
ｄ＝距離（ｋｍ（マイル））
ｃ＝真空中の光速（２９９，３００ｋｍ／秒（１８６，０００マイル／秒））
ｋ＝スカラ定数の１．１
例えば、光は、約０．１３４４秒で真空を通って４０，０００ｋｍ（２５，０００マイル）を伝わることができる。したがって、この４０，０００ｋｍ（２５，０００マイル）の伝搬経路でデータを搬送する「低レイテンシ」の通信リンクは、約０．１４７８４秒以下のうちに、このリンクでデータの少なくともいくらかの部分を通すことができる。
【０１１２】
「高レイテンシ」は、一般に、光が真空中の所与の伝搬経路を伝わるのに要求される時間よりも１０％長い時間を超える時間のことを言う。公式として表現されると、高レイテンシは、以下のように定義される。
【０１１３】
【数２】
2018511252.tif 000004
【０１１４】
ただし、
ｄ＝距離（ｋｍ（マイル））
ｃ＝真空中の光速（２９９，３００ｋｍ／秒（１８６，０００マイル／秒））
ｋ＝スカラ定数の１．１
例えば、光は、約０．０４３０１秒で真空を通って１２，８００ｋｍ（８，０００マイル）を伝わることができる。したがって、この送信経路でデータを搬送する「高レイテンシ」の通信リンクは、約０．０４７３１秒以上のうちに、このリンクでデータの少なくともいくらかの部分を通すことができる。
【０１１５】
ネットワークの「高」および「低」レイテンシは、データ帯域幅に依存していなくてもよい。いくつかの「高」レイテンシのネットワークは、「低」レイテンシのネットワークより高い、高伝送レートを有することがあるが、これは、常に当てはまらなくてもよい。いくつかの「低」レイテンシのネットワークは、「高」レイテンシのネットワークの帯域幅を超えるデータ帯域幅を有することもある。
【０１１６】
「最大使用周波数（ＭＵＦ：Ｍａｘｉｍｕｍ  Ｕｓａｂｌｅ  Ｆｒｅｑｕｅｎｃｙ）」は、一般に、空間波伝搬を使用して地球に戻される最大周波数のことを言う。
「メモリ」は、一般に、データまたは情報を保持するように構成された任意のストレージシステムまたはデバイスのことを言う。それぞれのメモリは、ほんの数例を挙げると、１つまたは複数のタイプのソリッドステートの電子メモリ、磁気メモリ、または、光メモリを含んでもよい。非限定的な例として、それぞれのメモリは、ソリッドステートの電子的なランダムアクセスメモリ（ＲＡＭ：Ｒａｎｄｏｍ  Ａｃｃｅｓｓ  Ｍｅｍｏｒｙ）、（先入れ先出し（ＦＩＦＯ：Ｆｉｒｓｔ−Ｉｎ，Ｆｉｒｓｔ−Ｏｕｔ）の種類、もしくは、後入れ先出し（ＬＩＦＯ：Ｌａｓｔ−Ｉｎ−Ｆｉｒｓｔ−Ｏｕｔ）の種類などの）シーケンシャルアクセスメモリ（ＳＡＭ：Ｓｅｑｕｅｎｔｉａｌｌｙ  Ａｃｃｅｓｓｉｂｌｅ  Ｍｅｍｏｒｙ）、プログラマブルリードオンリメモリ（ＰＲＯＭ：Ｐｒｏｇｒａｍｍａｂｌｅ  Ｒｅａｄ  Ｏｎｌｙ  Ｍｅｍｏｒｙ）、電子的プログラマブルリードオンリメモリ（ＥＰＲＯＭ：Ｅｌｅｃｔｒｏｎｉｃａｌｌｙ  Ｐｒｏｇｒａｍｍａｂｌｅ  Ｒｅａｄ  Ｏｎｌｙ  Ｍｅｍｏｒｙ）、もしくは電気的消去可能プログラマブルリードオンリメモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、（ＤＶＤもしくはＣＤ  ＲＯＭなどの）光ディスクメモリ、磁気的に符号化されたハードディスク、フロッピディスク、テープ、もしくはカートリッジ媒体、または、これらのメモリタイプのいずれかの組合せを含んでもよい。また、それぞれのメモリは、揮発性、不揮発性、または、揮発性と不揮発性の複合的組合せの種類であってもよい。
【０１１７】
「非空間波伝搬」は、一般に、電離圏から電磁波を反射することによって情報が送信されない、有線および／または無線の全ての形式の送信のことを言う。
「最適使用周波数」は、一般に、空間波伝搬を介して最も安定した通信経路をもたらす周波数のことを言う。この周波数は、電離圏の条件および時刻などの多くの因子に依存して時間と共に変化する可能性がある。電離圏のＦ２層を使用する送信に関して、使用周波数は、一般に、ＭＵＦのおよそ８５％であり、Ｅ層に関して、最適使用周波数は、一般に、ＭＵＦの近くになる。
【０１１８】
「光ファイバ」は、一般に、電磁エネルギーが管の長い軸を渡るように伝わる実質的に透明な媒体を含む細長い管を有する電磁導波路のことを言う。電磁放射は、電磁放射が管を渡るとき電磁放射の全内部反射によって管の内部に維持されてもよい。全内部反射は、一般に、コアよりも低い屈折率を有する第２の実質的に透明な被覆材によって取り囲まれた実質的に透明なコア含む光ファイバを使用して達成される。
【０１１９】
光ファイバは、一般に、導電性ではないが実質的に透明な誘電体を材料として作られる。このような材料は、シリカ、ふっ化物ガラス、りん酸塩ガラス、カルコゲナイドガラスなどの押出成型されたガラス、または、様々なタイプのプラスチック、もしくは他の適切な材料などの高分子材料の任意の組合せを含んでも含まなくてもよく、任意の適切な断面の形、長さまたは寸法で構成されてもよい。光ファイバを通じてうまく受け渡されることが可能である電磁エネルギーの例は、任意の適切な周波数の電磁エネルギーが使用されてもよいが、電磁スペクトルのうち、近赤外線、中赤外線、および可視光線の部分における電磁波を含む。
【０１２０】
「偏波」は、一般に、地球の表面に対する、放射された電磁エネルギー波の電場の向き（「Ｅ面」）のことを言い、放射するアンテナの物理的な構造および向きによって特定される。偏波は、アンテナの指向性とは別個に考えられる場合がある。したがって、単純な直線のワイヤアンテナは、実質的に垂直に取り付けられた場合、１つの偏波を、および、実質的に水平に取り付けられた場合、異なる偏波を有することがある。横波のように、電波の磁場は、電波の電場に対して直角であるが、慣習により、アンテナの「偏波」に関する話は、電場の方向について言うものと理解される。
【０１２１】
反射は、一般に、偏波に影響を及ぼす。電波に関して、１つの重要な反射体は、波の偏波を変えることが可能である電離圏である。したがって、電離圏による反射を介して受信された信号（空間波）に関して、安定した偏波は期待できない。見通し内通信または地表波伝搬に関して、水平または垂直に偏波された送信は、一般に、受信する場所においてほぼ同じ偏波の状態のままである。送信機のアンテナの偏波に、受信アンテナの偏波を一致させることは、地表波または見通し線の伝搬において特に重要になることがあるが、空間波伝搬においては、それほど重要にはならないであろう。
【０１２２】
アンテナの直線偏波は、一般に、このような方向が定義され得る場合、アンテナの電流の（受信する場所から見えるような）方向に沿う。例えば、垂直のホイップアンテナ、または垂直に向けられたＷｉＦｉアンテナは、垂直偏波で送信し、受信する。ほとんどのルーフトップＴＶアンテナなどの水平素子を有するアンテナは、（ＴＶ放送が、水平偏波を普段使用するので）一般に、水平に偏波される。水平なダイポールアンテナの配列など、アンテナシステムが垂直に向いている場合でさえ、偏波は、電流の流れに対応して水平方向になる。
【０１２３】
偏波は、電波が動く方向に対して垂直の想像上の面に投影された、時間に伴うＥ面の向きの和である。最も一般的な場合、偏波は、長円形であり、電波の偏波が時間と共に変化することを意味する。２つの特別な場合は、上記で論じてきたような、（長円が１つの線につぶれる）直線偏波、および（長円の２つの軸が等しい）円偏波である。直線偏波では、電波の電場は、１つの方向に沿って前後に振動し、これは、アンテナの取付け方によって影響を受ける可能性があるが、普段、所望の方向は、水平または垂直の偏波である。円偏波では、電波の電場（および磁場）は、伝搬の軸のまわりを円形に無線周波数で回転する。
【０１２４】
「プロセッサ」は、一般に、出力を生成するために入力を処理するように構成またはプログラムされた単一のユニットとして動作するように構成された１つまたは複数の電子的な構成要素のことを言う。あるいは、複数の構成要素の形式の場合、プロセッサは、他の構成要素に対して遠く離れて設置された１つまたは複数の構成要素を有することがある。それぞれのプロセッサの１つまたは複数の構成要素は、デジタル回路、アナログ回路、または両方を定義する電子的な多様性のものであってもよい。１つの例では、それぞれのプロセッサは、２２００  Ｍｉｓｓｉｏｎ  Ｃｏｌｌｅｇｅ  Ｂｏｕｌｅｖａｒｄ、Ｓａｎｔａ  Ｃｌａｒａ、Ｃａｌｉｆ．  ９５０５２、ＵＳＡの  ＩＮＴＥＬ  Ｃｏｒｐｏｒａｔｉｏｎによって供給された、１つまたは複数のＰＥＮＴＩＵＭ、ｉ３、ｉ５、またはｉ７プロセッサなどの、従来型の集積回路のマイクロプロセッサ装置のものである。
【０１２５】
プロセッサの別の例は、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）である。ＡＳＩＣは、特有のタスクまたは機能を実施するためにコンピュータを制御する特有の一連の論理演算を実施するようにカスタマイズされた集積回路（ＩＣ）である。ＡＳＩＣは、汎用的な使用のために構成されたプロセッサではなく専用コンピュータのためのプロセッサの例である。特定用途向け集積回路は、一般に、他の機能を実施するために再プログラム可能ではないが、製造されたときに１度プログラムされてもよい。
【０１２６】
別の例では、プロセッサは、「フィールドプログラマブル」タイプのものであってよい。このようなプロセッサは、製造後に様々な特化されたまたは一般的な機能を実施するために「現場で」何度もプログラムされてよい。フィールドプログラマブルプロセッサは、プロセッサ内の集積回路の中のフィールドプログラマブルゲートアレイ（ＦＰＧＡ）含んでもよい。ＦＰＧＡは、ＦＰＧＡ内の不揮発性メモリセルに保持され得る特有の一連の指示を実施するためにプログラムされてもよい。ＦＰＧＡは、ハードウェア記述言語（ＨＤＬ：ｈａｒｄｗａｒｅ  ｄｅｓｃｒｉｐｔｉｏｎ  ｌａｎｇｕａｇｅ）を使用して顧客または設計者によって構成されてもよい。ＦＰＧＡは、コマンドまたは動作指示の新しいセットを実装するようにＦＰＧＡを再構成するために、別のコンピュータを使用して再プログラムされてもよい。このような動作は、プロセッサ回路に対するファームウェアアップグレードなどの任意の適切な手段で実行されてもよい。
【０１２７】
コンピュータの概念が、単一の場所における単一の物理的デバイスに限定されないのと同じように、「プロセッサ」の概念もまた、単一の物理的なロジック回路または回路のパッケージに限定されないが、非常に多くの物理的な場所における複数のコンピュータの内部または全域にわたって含まれる可能性がある１つまたは複数のこのような回路または回路のパッケージを含む。仮想コンピューティング環境において、未知数の物理的なプロセッサは、能動的にデータを処理していてもよく、未知数は、同様に時間と共に自動的に変化してもよい。
【０１２８】
「プロセッサ」の概念は、閾値の比較、ルールの比較、計算を行うように、または論理的な結果（例えば、「真」または「偽」）を生じるデータにルールを適用する論理演算を実施するように構成またはプログラムされたデバイスを含む。アクティビティを処理することは、別個のサーバ上の、別個のプロセッサを有する単一のサーバ内の複数のプロセッサ上の、または、別個のコンピューティングデバイス内の互いに物理的に遠く離れた複数のプロセッサ上の複数の単一のプロセッサにおいて発生してもよい。
【０１２９】
「電波」は、一般に、３ｋＨｚから３００ＧＨｚまでの範囲を占める周波数における電磁放射のことを言う。
「電波地平線」は、一般に、アンテナからの直射の放射線が、地表に接線する地点の位置のことを言う。電波地平線は、以下の方程式によって見積もられる場合がある。
【０１３０】
【数３】
2018511252.tif 000005
【０１３１】
ただし、
ｄ＝電波地平線（ｋｍ（マイル））
ｈｔ＝送信アンテナ高（ｍ（フィート））
ｈｒ＝受信アンテナ高（ｍ（フィート））
「遠く離れた」は、一般に、任意の物理的な、論理的な、または、２つのものの間の他の分離のことを言う。分離は、何千または何百万マイルもしくはキロメートルなど、比較的大きくても、または、ナノメートルまたは数百万分の１インチなど、小さくてもよい。また、互いから「遠く離れた」２つのものは、論理的または物理的に、一緒に結合または接続されてもよい。
【０１３２】
「受信する」は、一般に、伝送された、通信された、伝えられた、中継された、発信された、または、転送された何かを受け入れることを言う。または、この概念は、リッスンする、または、何かが送信エンティティから到着するのを待つ行為を含んでも含まなくてもよい。例えば、送信は、誰が、または、何が送信したかについて知らずに受信されてもよい。同様に、送信は、誰が、または、何が受信しているかについて知った状態で、または知らない状態で送られてもよい。「受信する」ことは、電磁スペクトル内の任意の適切な周波数で電磁エネルギーを捕える、または、取得する行為を含んでもよいが、これらに限定されない。受信することは、電磁放射を検知することによって発生してもよい。電磁放射を検知することは、ワイヤまたは光ファイバなどの媒体を通じて、または、そこから移動するエネルギー波を検出することを内包してもよい。受信することは、信号、データグラム、パケット、等などの様々なタイプのアナログまたはバイナリデータを定義し得るデジタル信号を受信すること含む。
【０１３３】
「受信局」は、一般に、受信デバイス、または、電磁エネルギーを受信するように構成された複数のデバイスを有する場所または設備のことを言う。受信局は、特定の送信エンティティから、または、送信エンティティが、送信を受信するのに先立って識別できるかどうかに関わらず、任意の送信エンティティから、受信するように構成されてもよい。
【０１３４】
「跳躍距離」は、一般に、送信機から、空間波伝搬からの波が地球に戻されることが可能である場所までの最短距離のことを言う。別の言い方をすれば、跳躍距離は、空間波伝搬に対する臨界角において発生する最短距離である。
【０１３５】
「跳躍帯」または「静穏帯」は、一般に、地表波伝搬からの地表波が完全に散逸される場所と、空間波伝搬を使用して最初の空間波が戻る場所との間のエリアのことを言う。跳躍帯では、所与の送信に対する信号が受信されることは可能ではない。
【０１３６】
「衛星通信」または「衛星伝搬」は、一般に、１つまたは複数の電磁気的な信号を衛星に送信することを言い、衛星は、また、別の衛星または基地局に信号を反射および／または再送信する。
【０１３７】
「サイズ」は、一般に、何かの広がり、ものの全体的な寸法または規模、何かがどれほど大きいか、のことを言う。物理的なオブジェクトに関して、サイズは、大きいまたはより大きい、高いまたはより高い、低いまたはより低い、小さいまたはより小さい、等などの相対語を説明するために使用されてもよい。また、物理的なオブジェクトのサイズは、任意の適切な単位で表現された特有の幅、長さ、高さ、距離、容量、等などの固定された単位で与えられてもよい。
【０１３８】
データ転送に関して、サイズは、論理的または物理的な単位として、操作され、アドレス指定され、送信され、受信され、または、処理されたデータの相対的なまたは固定された量を示唆するために使用されてもよい。サイズは、データコレクション、データセット、データファイル、または、他のこのような論理的な単位においてデータの量と併用して使用されてもよい。例えば、データコレクションまたはデータファイルは、３５メガバイトの「サイズ」を有するものとして特徴付けられてもよく、または、通信リンクは、１秒あたり１０００ビットの「サイズ」をもつデータ帯域幅を有するものとして特徴付けられてもよい。
【０１３９】
「空間波伝搬」は、一般に、アンテナから放射された１つまたは複数の電磁波が、電離圏から屈折されて地表に戻る送信方法のことを言う。さらに、空間波伝搬は、対流圏散乱送信を含む。１つの形式では、跳躍方法が使用されてもよく、この中で、電離圏から屈折された波は、地表によって反射されて電離圏まで戻る。この跳躍は、１回以上発生することが可能である。
【０１４０】
「空間波伝搬」、または時として、「直接波伝搬」もしくは「見通し線伝搬」と呼ばれる伝搬は、一般に、送信方法のことを言い、その中で、１つまたは複数の電磁波は、一般に、互いに見えるアンテナ間で送信される。送信は、直接、および／または、地表が反射した空間波を介して発生することが可能である。一般に言えば、アンテナ高および地球の曲率は、空間波伝搬の送信距離に対する制限因子である。直接の見通し線に対する実際の電波地平線は、回折効果のために可視のまたは幾何学的な見通し線よりも大きくなり、すなわち、電波地平線は、幾何学的な見通し線より約４／５大きくなる。
【０１４１】
「スペクトル拡散」は、一般に、複数の周波数で送信された信号の一部を送ることを含む送信方法のことを言う。複数の周波数で送信することは、様々な周波数で信号の一部を送ることによって同時に発生してもよい。この例では、受信機は、送信された信号を再び集めるために同時に全ての周波数に対してリッスンしなければならない。また、送信は、「ホッピング信号」によって複数の周波数で拡散されてもよい。信号ホッピングの状況は、第１の周波数で、ある期間信号を送信すること、第３の期間第３の周波数にスイッチする前に、第２の期間第２の周波数で信号を送信するためにスイッチすること、などを含む。受信機および送信機は、一緒に周波数をスイッチするために、同期されなければならない。「ホッピング」周波数のこの処理は、時間と共に（例えば、毎時に、２４時間毎に、等）変わることがある周波数ホッピングパターンの中に実装されてもよい。
【０１４２】
「成層圏」は、一般に、対流圏から、地球表面の上、約４０ｋｍ（２５マイル）から約５６ｋｍ（３５マイル）まで及ぶ地球の大気の層のことを言う。
「伝送レート」は、一般に、何かが、１つの物理的なまたは論理的な場所から別の場所へ動かされるレートのことを言う。通信リンクまたは通信ネットワークの場合、伝送レートは、リンクまたはネットワークでデータ伝送のレートとして特徴付けられてもよい。このような伝送レートは、「１秒あたりのビット」で表現されてもよく、データの伝送を行うために使用される所与のネットワークまたは通信リンクに対する最大データ帯域幅によって制限されることがある。
【０１４３】
「伝送回線」は、一般に、一方の場所から別の場所に電磁エネルギーを搬送するように設計された、特化された物理的な構造または一連の構造のことを言い、普段、自由空間を通じて電磁エネルギーを放射しない。伝送回線は、電磁エネルギーが伝送回線内の構造を通過するときに被るレイテンシおよび電力損失を最小限に抑えながら、一方の場所から別の場所に電磁エネルギーを保持し、伝送するように動作する。
【０１４４】
電波を通信する際に使用されることがある伝送回線の例は、ツインリード、同軸ケーブル、マイクロストリップ、ストリップライン、ツイストペア、星形カッド、レッヘル線、様々なタイプの導波路、または、単純な単線式回線を含む。光ファイバなどの他のタイプの伝送回線は、可視または不可視光線などの比較的高い周波数の電磁放射を搬送するために使用されることがある。
【０１４５】
「送信経路」または「伝搬経路」は、一般に、宇宙を通過または媒質を通過する電磁エネルギーによって取られる経路のことを言う。これは、伝送回線を通る送信を含むことができる。この場合、送信経路は、伝送回線によって定義され、伝送回線を辿り、伝送回線内に収容され、伝送回線を通過し、または、一般に伝送回線を含む。送信または伝搬経路は、伝送回線によって定義される必要はない。伝搬または送信経路は、空間波、地表波、見通し線、または、他の形式の伝搬などにおける自由空間を通じて、または、大気を通じて移動する電磁エネルギーによって定義され得る。その場合、送信経路は、任意の経路として特徴付けられてもよく、その経路に沿って、電磁エネルギーは、送信機から受信機に移動するときに、通過し、あらゆる跳躍、はね返り、散乱、または、送信されたエネルギーの他の方向の変化を含む。
【０１４６】
「送信局」は、一般に、送信するデバイス、または、電磁エネルギーを送信するように構成された複数のデバイスを有する場所または設備のことを言う。送信局は、特定の受信エンティティに、送信を受信するように構成された任意のエンティティに、または、その任意の組合せに送信するように構成されてもよい。
【０１４７】
「送信する」は、一般に、何かが、伝送され、通信され、伝えられ、中継され、発信され、または、転送されることを引き起こすことを言う。この概念は、送信エンティティから受信エンティティに何かを伝える行為を含んでも含まなくてもよい。例えば、送信は、誰がまたは何が送信したかについて知らずに受信されてもよい。同様に、送信は、誰がまたは何が受信するかについて知っている状態で、または、知らずに送られてもよい。「送信する」ことは、電磁スペクトル内の任意の適切な周波数で電磁エネルギーを送ること、または、ブロードキャストする行為を含んでもよいが、これらに限定されない。送信は、データグラム、パケット、等などの様々なタイプのバイナリデータを定義し得るデジタル信号を含んでもよい。また、送信は、アナログ信号も含んでもよい。
【０１４８】
「トリガデータ」は、一般に、実行する１つまたは複数のコマンドを識別するトリガ情報を含むデータのことを言う。トリガデータおよびコマンドデータは、単一の送信の中で一緒に発生してもよく、または、単一または複数の通信リンクに沿って別個に送信されてもよい。
【０１４９】
「対流圏」は、一般に、地球の大気の最も低い部分のことを言う。対流圏は、中緯度地方では地球の表面の上、約１７．７ｋｍ（１１マイル）に、熱帯地方では、１９．３ｋｍ（１２マイル）まで、および、両極では、冬期に約６．９ｋｍ（４．３マイル）に及ぶ。
【０１５０】
「対流圏散乱送信」は、一般に、電波などの１つまたは複数の電磁波が対流圏に向けられる空間波伝搬の形式のことを言う。その原因について確かではないが、少量の波のエネルギーは、受信アンテナの方に進んで散乱される。極度の減衰問題のために、ダイバーシティ受信技法（例えば、宇宙、周波数、および／または、角度ダイバーシティ）が、典型的には、使用される。
【０１５１】
「導波路」は、一般に、電磁スペクトルに沿って任意の周波数で発生する電磁波などの波を導くように構成された伝送回線のことを言う。例は、極低周波からミリ波まで電磁スペクトルに沿って分布する比較的低い周波数の電磁放射を伝送するように構成された導電性または絶縁性の材料の任意の装置を含む。他の具体例は、高い周波数の光を導く光ファイバ、または、高い周波数の電波、特にマイクロ波を搬送するために使用される中空の導電性金属パイプを含む。
【０１５２】
説明、および／または、特許請求の範囲に使用されるような、単数形「１つの（ａ）」、「１つの（ａｎ）」、「前記（ｔｈｅ）」、等は、別の方法で明確に論じられない限り複数形を含むことに留意されたい。例えば、明細書、および／または、請求項が、「１つのデバイス」または「前記デバイス」に言及する場合、１つまたは複数のこのようなデバイスを含む。
【０１５３】
「上」、「下」、「頂部」、「底部」、「前方」、「後方」、「水平」、「縦方向」、「放射状」、「円周方向」、他などの方向を示す用語は、例示の実施形態を読者が理解するのに役立つように、単に読者の利便性のために本明細書で使用され、何らかの方法におけるこれらの方向を示す用語の使用は、説明され、図示され、および／または、特許請求された、特有の方向および／または向きに対する特性を制限するものではないということに留意されたい。
【０１５４】
本発明は、図面および前述の説明において詳細に示され、説明されてきたが、同様のことが、例示的であり、特徴を制限するものではないとみなされるべきであり、好ましい実施形態のみが示され、説明されてきたこと、および、以下の請求項によって定義された、本発明の精神の範囲内になる、全ての変更、均等物、および変更形態は、保護されることが望まれるということが理解される。それぞれの個別の公報、特許、または特許出願が、具体的および個別に、参照によって援用され、本明細書に全体として記載されたことを、あたかも示唆されたかのように、本明細書に引用された全ての公報、特許、および、特許出願は、参照によって本明細書に援用される。
【図１】
2018511252.tif 000007
【図２】
2018511252.tif 000008
【図３】
2018511252.tif 000009
【図４】
2018511252.tif 000010
【図５】
2018511252.tif 000011
【図６】
2018511252.tif 000012
【図７】
2018511252.tif 000013
【図８】
2018511252.tif 000014
【図９】
2018511252.tif 000015
【図１０】
2018511252.tif 000016
【図１１】
2018511252.tif 000017
【図１２】
2018511252.tif 000018
【図１３】
2018511252.tif 000019
【図１４】
2018511252.tif 000020
【図１５】
2018511252.tif 000021
【図１６】
2018511252.tif 000022
【図１７】
2018511252.tif 000023
【図１８】
2018511252.tif 000024
【国際調査報告】
2018511252.tif 000025
2018511252.tif 000026
2018511252.tif 000027